(57)【要約】  移動通信システムは、ネットワーク及びユーザ端末間でデータ通信を行うセルラ通信と、２以上のユーザ端末間で直接的にデータ通信を行うＤ２Ｄ通信と、をサポートする。前記Ｄ２Ｄ通信は、前記セルラ通信の上りリンク無線リソースの一部を使用して行われる。前記上りリンク無線リソースは、前記セルラ通信において所定の上りリンク信号の送信に使用される特定無線リソースを含む。前記特定無線リソースは、前記Ｄ２Ｄ通信における使用が規制されている。
2014050556.tif 000002
【特許請求の範囲】
【請求項１】
ネットワーク及びユーザ端末間でデータ通信を行うセルラ通信と、２以上のユーザ端末間で直接的にデータ通信を行うＤ２Ｄ通信と、をサポートする移動通信システムであって、
前記Ｄ２Ｄ通信は、前記セルラ通信の上りリンク無線リソースの一部を使用して行われ、
前記上りリンク無線リソースは、前記セルラ通信において所定の上りリンク信号の送信に使用される特定無線リソースを含み、
前記特定無線リソースは、前記Ｄ２Ｄ通信における使用が規制されていることを特徴とする移動通信システム。
【請求項２】
前記所定の上りリンク信号は、少なくとも上りリンクのチャネル推定に使用される上りリンク参照信号であり、
前記特定無線リソースは、上りリンク参照信号リソースであることを特徴とする請求項１に記載の移動通信システム。
【請求項３】
前記上りリンク参照信号は、サウンディング参照信号（ＳＲＳ）、及び／又は復調参照信号（ＤＭＲＳ）であることを特徴とする請求項２に記載の移動通信システム。
【請求項４】
前記上りリンク参照信号リソースは、前記Ｄ２Ｄ通信においてシンボル単位で使用が規制されることを特徴とする請求項２に記載の移動通信システム。
【請求項５】
前記所定の上りリンク信号は、前記セルラ通信の制御に使用される上りリンク制御信号であり、
前記特定無線リソースは、上りリンク制御信号リソースであることを特徴とする請求項１に記載の移動通信システム。
【請求項６】
前記上りリンク制御信号は、物理上りリンク制御チャネル（ＰＵＣＣＨ）上で送信される信号、及び／又は、物理ランダムアクセスチャネル（ＰＲＡＣＨ）上で送信される信号であることを特徴とする請求項５に記載の移動通信システム。
【請求項７】
前記上りリンク制御信号リソースは、前記Ｄ２Ｄ通信においてリソースブロック単位で使用が規制されることを特徴とする請求項５に記載の移動通信システム。
【請求項８】
前記Ｄ２Ｄ通信は、前記特定無線リソースを使用せずに、前記上りリンク無線リソースのうち前記特定無線リソース以外の無線リソースを使用して行われることを特徴とする請求項１に記載の移動通信システム。
【請求項９】
前記Ｄ２Ｄ通信のための無線リソース割当であるＤ２Ｄリソース割当を基地局主導で行う場合に、前記Ｄ２Ｄリソース割当を行う基地局は、前記特定無線リソースを前記Ｄ２Ｄ通信に割り当てないことを特徴とする請求項８に記載の移動通信システム。
【請求項１０】
前記Ｄ２Ｄ通信のための無線リソース割当であるＤ２Ｄリソース割当をユーザ端末主導で行う場合に、前記Ｄ２Ｄリソース割当を行うユーザ端末は、前記特定無線リソースを前記Ｄ２Ｄ通信に割り当てないことを特徴とする請求項８に記載の移動通信システム。
【請求項１１】
前記Ｄ２Ｄ通信のための無線リソース割当であるＤ２Ｄリソース割当によって前記特定無線リソースがユーザ端末に割り当てられた場合であっても、前記特定無線リソースが割り当てられた前記ユーザ端末は、前記特定無線リソースを前記Ｄ２Ｄ通信に使用しないことを特徴とする請求項８に記載の移動通信システム。
【請求項１２】
前記Ｄ２Ｄ通信において前記特定無線リソースを使用してＤ２Ｄ通信信号を送信する場合に、前記特定無線リソースに対応する前記Ｄ２Ｄ通信信号の送信電力は、所定値よりも低い値に設定されることを特徴とする請求項１に記載の移動通信システム。
【請求項１３】
前記Ｄ２Ｄ通信において前記特定無線リソースを使用してＤ２Ｄ通信信号を送信する場合で、かつ、前記Ｄ２Ｄ通信のための送信電力制御であるＤ２Ｄ電力制御を基地局主導で行う場合に、前記Ｄ２Ｄ電力制御を行う基地局は、前記特定無線リソースに対応する前記Ｄ２Ｄ通信信号の送信電力を前記所定値よりも低い値に設定することを特徴とする請求項１２に記載の移動通信システム。
【請求項１４】
前記Ｄ２Ｄ通信において前記特定無線リソースを使用してＤ２Ｄ通信信号を送信する場合で、かつ、前記Ｄ２Ｄ通信のための送信電力制御であるＤ２Ｄ電力制御をユーザ端末主導で行う場合に、前記Ｄ２Ｄ電力制御を行うユーザ端末は、前記特定無線リソースに対応する前記Ｄ２Ｄ通信信号の送信電力を前記所定値よりも低い値に設定することを特徴とする請求項１２に記載の移動通信システム。
【請求項１５】
前記特定無線リソースは、所定の条件を満たすユーザ端末に対してのみ、前記Ｄ２Ｄ通信における使用が規制されており、
前記所定の条件とは、前記ネットワークに含まれる基地局との間のパスロスが閾値よりも小さいという条件であることを特徴とする請求項１に記載の移動通信システム。
【請求項１６】
ネットワーク及びユーザ端末間でデータ通信を行うセルラ通信と、２以上のユーザ端末間で直接的にデータ通信を行うＤ２Ｄ通信と、をサポートする移動通信システムであって、
前記Ｄ２Ｄ通信は、前記セルラ通信の下りリンク無線リソースの一部を使用して行われ、
前記下りリンク無線リソースは、前記セルラ通信において所定の下りリンク信号の送信に使用される特定無線リソースを含み、
前記特定無線リソースは、前記Ｄ２Ｄ通信における使用が規制されていることを特徴とする移動通信システム。
【請求項１７】
前記所定の下りリンク信号は、前記セルラ通信の制御に使用される下りリンク制御信号であることを特徴とする請求項１６に記載の移動通信システム。
【請求項１８】
前記下りリンク制御信号は、同期信号、及び／又は、物理ブロードキャストチャネル（ＰＢＣＨ）上で送信される信号であることを特徴とする請求項１７に記載の移動通信システム。
【請求項１９】
前記所定の下りリンク信号は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）信号であり、
前記特定無線リソースは、ＭＢＳＦＮ（ＭＢＭＳ  Ｓｉｎｇｌｅ  Ｆｒｅｑｕｅｎｃｙ  Ｎｅｔｗｏｒｋ）サブフレームであることを特徴とする請求項１６に記載の移動通信システム。
【請求項２０】
前記Ｄ２Ｄ通信は、前記特定無線リソースを使用せずに、前記下りリンク無線リソースのうち前記特定無線リソース以外の無線リソースを使用して行われることを特徴とする請求項１６に記載の移動通信システム。
【請求項２１】
前記Ｄ２Ｄ通信のための無線リソース割当であるＤ２Ｄリソース割当を基地局主導で行う場合に、前記Ｄ２Ｄリソース割当を行う基地局は、前記特定無線リソースを前記Ｄ２Ｄ通信に割り当てないことを特徴とする請求項２０に記載の移動通信システム。
【請求項２２】
前記Ｄ２Ｄ通信のための無線リソース割当であるＤ２Ｄリソース割当をユーザ端末主導で行う場合に、前記Ｄ２Ｄリソース割当を行うユーザ端末は、前記特定無線リソースを前記Ｄ２Ｄ通信に割り当てないことを特徴とする請求項２０に記載の移動通信システム。
【請求項２３】
前記Ｄ２Ｄ通信のための無線リソース割当であるＤ２Ｄリソース割当によって前記特定無線リソースがユーザ端末に割り当てられた場合であっても、前記特定無線リソースが割り当てられた前記ユーザ端末は、前記特定無線リソースを前記Ｄ２Ｄ通信に使用しないことを特徴とする請求項２０に記載の移動通信システム。
【請求項２４】
前記Ｄ２Ｄ通信において前記特定無線リソースを使用してＤ２Ｄ通信信号を送信する場合に、前記特定無線リソースに対応する前記Ｄ２Ｄ通信信号の送信電力は、所定値よりも低い値に設定されることを特徴とする請求項１６に記載の移動通信システム。
【請求項２５】
前記Ｄ２Ｄ通信において前記特定無線リソースを使用してＤ２Ｄ通信信号を送信する場合で、かつ、前記Ｄ２Ｄ通信のための送信電力制御であるＤ２Ｄ電力制御を基地局主導で行う場合に、前記Ｄ２Ｄ電力制御を行う基地局は、前記特定無線リソースに対応する前記Ｄ２Ｄ通信信号の送信電力を前記所定値よりも低い値に設定することを特徴とする請求項２４に記載の移動通信システム。
【請求項２６】
前記Ｄ２Ｄ通信において前記特定無線リソースを使用してＤ２Ｄ通信信号を送信する場合で、かつ、前記Ｄ２Ｄ通信のための送信電力制御であるＤ２Ｄ電力制御をユーザ端末主導で行う場合に、前記Ｄ２Ｄ電力制御を行うユーザ端末は、前記特定無線リソースに対応する前記Ｄ２Ｄ通信信号の送信電力を前記所定値よりも低い値に設定することを特徴とする請求項２４に記載の移動通信システム。
【請求項２７】
前記特定無線リソースは、所定の条件を満たすユーザ端末に対してのみ、前記Ｄ２Ｄ通信における使用が規制されており、
前記所定の条件とは、前記ネットワークに含まれる基地局との間のパスロスが閾値よりも大きいという条件であることを特徴とする請求項１６に記載の移動通信システム。
【請求項２８】
ネットワーク及びユーザ端末間でデータ通信を行うセルラ通信と、２以上のユーザ端末間で直接的にデータ通信を行うＤ２Ｄ通信と、をサポートする移動通信システムであって、
前記セルラ通信の下りリンク無線リソースは、前記セルラ通信における特定の機能を実現するための特定のサブフレームを含み、
前記Ｄ２Ｄ通信は、前記特定のサブフレームの少なくとも一部を使用して行われることを特徴とする移動通信システム。
【請求項２９】
前記特定の機能は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）機能であり、
前記特定のサブフレームは、ＭＢＳＦＮ（ＭＢＭＳ  Ｓｉｎｇｌｅ  Ｆｒｅｑｕｅｎｃｙ  Ｎｅｔｗｏｒｋ）サブフレームであることを特徴とする請求項２８に記載の移動通信システム。
【請求項３０】
前記Ｄ２Ｄ通信のための無線リソース割当を行う基地局は、当該基地局が収容するユーザ端末から通知されるＭＢＭＳ興味情報に基づいて、前記ＭＢＳＦＮサブフレームの少なくとも一部を前記Ｄ２Ｄ通信に割り当てるか否かを制御することを特徴とする請求項２９に記載の移動通信システム。
【請求項３１】
前記ＭＢＭＳ興味情報は、前記ユーザ端末が受信を希望するＭＢＭＳデータが配信される周波数を示す周波数情報を含み、
前記基地局は、前記ＭＢＭＳ興味情報に含まれる前記周波数情報に基づいて、前記ＭＢＳＦＮサブフレームの少なくとも一部を前記Ｄ２Ｄ通信に割り当てるか否かを制御することを特徴とする請求項３０に記載の移動通信システム。
【請求項３２】
前記Ｄ２Ｄ通信のための無線リソース割当を行う基地局は、当該基地局が収容するユーザ端末から通知されるＭＢＭＳカウント情報に基づいて、前記ＭＢＳＦＮサブフレームの少なくとも一部を前記Ｄ２Ｄ通信に割り当てるか否かを制御することを特徴とする請求項２９に記載の移動通信システム。
【請求項３３】
前記特定の機能は、ＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ)機能であり、
前記特定のサブフレームは、ＡＢＳ（Ａｌｍｏｓｔ  Ｂｌａｎｋ  Ｓｕｂｆｒａｍｅ）であることを特徴とする請求項２８に記載の移動通信システム。
【請求項３４】
前記Ｄ２Ｄ通信のための無線リソース割当を行う基地局は、前記ＡＢＳを設定した場合に、前記ＡＢＳの少なくとも一部を前記Ｄ２Ｄ通信に割り当てることを特徴とする請求項３３に記載の移動通信システム。
【請求項３５】
前記特定のサブフレームは、所定の条件を満たすユーザ端末に対してのみ、前記Ｄ２Ｄ通信における使用が許容されており、
前記所定の条件とは、前記ネットワークに含まれる基地局との間のパスロスが閾値よりも小さいという条件であることを特徴とする請求項２８に記載の移動通信システム。
【発明の詳細な説明】
【技術分野】
【０００１】
本発明は、Ｄ２Ｄ通信をサポートする移動通信システムに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信は、近接する複数のユーザ端末が、移動通信システムに割り当てられた周波数帯域内で直接的な通信を行うものである。なお、Ｄ２Ｄ通信は、近傍サービス（Ｐｒｏｘｉｍｉｔｙ  Ｓｅｒｖｉｃｅ）通信と称されることもある。
【先行技術文献】
【非特許文献】
【０００４】
【非特許文献１】３ＧＰＰ技術報告  「ＴＲ  ２２．８０３  Ｖ０．３．０」  ２０１２年５月
【発明の概要】
【０００５】
しかしながら、現状では、Ｄ２Ｄ通信を適切に制御するための仕様が策定されていないため、Ｄ２Ｄ通信を、セルラ通信（ネットワークとユーザ端末との間の通信）と両立することが困難である。
【０００６】
そこで、本発明は、Ｄ２Ｄ通信を適切に制御できる移動通信システムを提供する。
【０００７】
一実施形態によれば、移動通信システムは、ネットワーク及びユーザ端末間でデータ通信を行うセルラ通信と、２以上のユーザ端末間で直接的にデータ通信を行うＤ２Ｄ通信と、をサポートする。前記Ｄ２Ｄ通信は、前記セルラ通信の上りリンク無線リソースの一部を使用して行われる。前記上りリンク無線リソースは、前記セルラ通信において所定の上りリンク信号の送信に使用される特定無線リソースを含む。前記特定無線リソースは、前記Ｄ２Ｄ通信における使用が規制されている。
【０００８】
一実施形態によれば、移動通信システムは、ネットワーク及びユーザ端末間でデータ通信を行うセルラ通信と、２以上のユーザ端末間で直接的にデータ通信を行うＤ２Ｄ通信と、をサポートする。前記Ｄ２Ｄ通信は、前記セルラ通信の下りリンク無線リソースの一部を使用して行われる。前記下りリンク無線リソースは、前記セルラ通信において所定の下りリンク信号の送信に使用される特定無線リソースを含む。前記特定無線リソースは、前記Ｄ２Ｄ通信における使用が規制されている。
【０００９】
一実施形態によれば、移動通信システムは、ネットワーク及びユーザ端末間でデータ通信を行うセルラ通信と、２以上のユーザ端末間で直接的にデータ通信を行うＤ２Ｄ通信と、をサポートする。前記セルラ通信の下りリンク無線リソースは、前記セルラ通信における特定の機能を実現するための特定のサブフレームを含む。前記Ｄ２Ｄ通信は、前記特定のサブフレームの少なくとも一部を使用して行われる。
【図面の簡単な説明】
【００１０】
【図１】第１実施形態乃至第６実施形態に係るＬＴＥシステムの構成図である。
【図２】第１実施形態乃至第６実施形態に係るＵＥのブロック図である。
【図３】第１実施形態乃至第６実施形態に係るｅＮＢのブロック図である。
【図４】第１実施形態乃至第６実施形態に係るＬＴＥシステムにおける無線インターフェイスのプロトコルスタック図である。
【図５】第１実施形態乃至第６実施形態に係るＬＴＥシステムで使用される無線フレームの構成図である。
【図６】第１実施形態乃至第６実施形態に係るセルラ通信におけるデータパスを示す。
【図７】第１実施形態乃至第６実施形態に係るＤ２Ｄ通信におけるデータパスを示す。
【図８】第１実施形態に係るセルラ通信及びＤ２Ｄ通信が同時に行われる通信環境を説明するための図である。
【図９】第１実施形態に係る動作パターン１において割り当てられるＤ２Ｄリソースの一例を説明するための図である。
【図１０】第１実施形態に係るＳＲＳリソース及びＤＭＲＳリソースを説明するための図である。
【図１１】第１実施形態に係る動作パターン２における割り当て候補無線リソースの一例を説明するための図である。
【図１２】第２実施形態及び第３実施形態に係るセルラ通信及びＤ２Ｄ通信が同時に行われる通信環境を説明するための図である。
【図１３】第２実施形態に係る特定無線リソース（ＰＳＳリソース、ＳＳＳリソース、ＰＢＣＨリソース）を説明するための図である。
【図１４】第３実施形態に係る特定無線リソース（ＭＢＳＦＮサブフレーム）を説明するための図である。
【図１５】第４実施形態に係るＭＢＳＦＮサブフレームを説明するための図である。
【図１６】第４実施形態に係る通信環境を説明するための図である。
【図１７】第４実施形態に係る動作シーケンス図である。
【図１８】第５実施形態に係る動作シーケンス図である。
【図１９】第５実施形態に係るＤ２Ｄリソース割当の一例を示す図である。
【図２０】第６実施形態に係る通信環境を説明するための図である。
【図２１】第６実施形態に係るＡＢＳを説明するための図である。
【図２２】第６実施形態に係るＭｅＮＢの動作を説明するための図である。
【発明を実施するための形態】
【００１１】
［第１実施形態の概要］
第１実施形態に係る移動通信システムは、ネットワーク及びユーザ端末間でデータ通信を行うセルラ通信と、２以上のユーザ端末間で直接的にデータ通信を行うＤ２Ｄ通信と、をサポートする。前記Ｄ２Ｄ通信は、前記セルラ通信の上りリンク無線リソースの一部を使用して行われる。前記上りリンク無線リソースは、前記セルラ通信において所定の上りリンク信号の送信に使用される特定無線リソースを含む。前記特定無線リソースは、前記Ｄ２Ｄ通信における使用が規制されている。従って、セルラ通信の上りリンクがＤ２Ｄ通信から受ける干渉の影響を抑制できるため、Ｄ２Ｄ通信をセルラ通信と両立できる。
【００１２】
第１実施形態では、前記所定の上りリンク信号は、少なくとも上りリンクのチャネル推定に使用される上りリンク参照信号であり、前記特定無線リソースは、上りリンク参照信号リソースである。例えば、前記上りリンク参照信号は、サウンディング参照信号（ＳＲＳ）、及び／又は復調参照信号（ＤＭＲＳ）である。この場合、前記上りリンク参照信号リソースは、前記Ｄ２Ｄ通信においてシンボル単位で使用が規制される。このように、Ｄ２Ｄ通信において上りリンク参照信号リソースの使用を規制することにより、セルラ通信において上りリンクのチャネル推定を良好に行うことができる。
【００１３】
或いは、前記所定の上りリンク信号は、前記セルラ通信の制御に使用される上りリンク制御信号であり、前記特定無線リソースは、上りリンク制御信号リソースである。例えば、前記上りリンク制御信号は、物理上りリンク制御チャネル（ＰＵＣＣＨ）上で送信される信号、及び／又は、物理ランダムアクセスチャネル（ＰＲＡＣＨ）上で送信される信号である。この場合、前記上りリンク制御信号リソースは、前記Ｄ２Ｄ通信においてリソースブロック単位で使用が規制される。このように、Ｄ２Ｄ通信において上りリンク制御信号リソースの使用を規制することにより、セルラ通信の制御を良好に行うことができる。
【００１４】
従って、Ｄ２Ｄ通信からの干渉に起因してセルラ通信が不能になることを回避できるため、Ｄ２Ｄ通信をセルラ通信と両立できる。
【００１５】
一方、物理上りリンク共有チャネル（ＰＵＳＣＨ）上で送信される上りリンクデータ（ユーザデータ）については、上りリンク制御信号とは異なり、Ｄ２Ｄ通信から干渉を受けても再送等によって回復可能であるため、Ｄ２Ｄ通信からの干渉を許容できる。
【００１６】
第１実施形態では、前記Ｄ２Ｄ通信は、前記特定無線リソースを使用せずに、前記上りリンク無線リソースのうち前記特定無線リソース以外の無線リソースを使用して行われる。例えば、前記Ｄ２Ｄ通信のための無線リソース割当であるＤ２Ｄリソース割当を基地局主導で行う場合には、前記Ｄ２Ｄリソース割当を行う基地局は、前記特定無線リソースを前記Ｄ２Ｄ通信に割り当てない。或いは、前記Ｄ２Ｄ通信のための無線リソース割当であるＤ２Ｄリソース割当をユーザ端末主導で行う場合には、前記Ｄ２Ｄリソース割当を行うユーザ端末は、前記特定無線リソースを前記Ｄ２Ｄ通信に割り当てない。従って、上りリンク制御信号がＤ２Ｄ通信から干渉を受けることを回避できる。
【００１７】
第１実施形態では、前記Ｄ２Ｄ通信のための無線リソース割当であるＤ２Ｄリソース割当によって前記特定無線リソースがユーザ端末に割り当てられた場合であっても、前記特定無線リソースが割り当てられた前記ユーザ端末は、前記特定無線リソースを前記Ｄ２Ｄ通信に使用しない。従って、上りリンク制御信号がＤ２Ｄ通信から干渉を受けることを回避できる。
【００１８】
一方、前記Ｄ２Ｄ通信において前記特定無線リソースを使用してＤ２Ｄ通信信号を送信する場合には、前記特定無線リソースに対応する前記Ｄ２Ｄ通信信号の送信電力は、所定値よりも低い値に設定される。例えば、前記Ｄ２Ｄ通信において前記特定無線リソースを使用してＤ２Ｄ通信信号を送信する場合で、かつ、前記Ｄ２Ｄ通信のための送信電力制御であるＤ２Ｄ電力制御を基地局主導で行う場合には、前記Ｄ２Ｄ電力制御を行う基地局は、前記特定無線リソースに対応する前記Ｄ２Ｄ通信信号の送信電力を前記所定値よりも低い値に設定する。或いは、前記Ｄ２Ｄ通信において前記特定無線リソースを使用してＤ２Ｄ通信信号を送信する場合で、かつ、前記Ｄ２Ｄ通信のための送信電力制御であるＤ２Ｄ電力制御をユーザ端末主導で行う場合には、前記Ｄ２Ｄ電力制御を行うユーザ端末は、前記特定無線リソースに対応する前記Ｄ２Ｄ通信信号の送信電力を前記所定値よりも低い値に設定する。従って、上りリンク制御信号がＤ２Ｄ通信から受ける干渉の影響を抑制できる。
【００１９】
第１実施形態に係るユーザ端末は、ネットワーク及びユーザ端末間でデータ通信を行うセルラ通信と、２以上のユーザ端末間で直接的にデータ通信を行うＤ２Ｄ通信と、をサポートする移動通信システムにおけるユーザ端末である。前記Ｄ２Ｄ通信は、前記セルラ通信の上りリンク無線リソースの一部を使用して行われる。前記上りリンク無線リソースは、前記セルラ通信において所定の上りリンク信号の送信に使用される特定無線リソースを含む。前記ユーザ端末は、前記Ｄ２Ｄ通信において前記特定無線リソースの使用を規制するよう制御する制御部を有する。
【００２０】
第１実施形態に係る基地局は、ネットワーク及びユーザ端末間でデータ通信を行うセルラ通信と、２以上のユーザ端末間で直接的にデータ通信を行うＤ２Ｄ通信と、をサポートする移動通信システムにおける基地局である。前記Ｄ２Ｄ通信は、前記セルラ通信の上りリンク無線リソースの一部を使用して行われる。前記上りリンク無線リソースは、前記セルラ通信において所定の上りリンク信号の送信に使用される特定無線リソースを含む。前記基地局は、前記Ｄ２Ｄ通信において前記特定無線リソースの使用を規制するよう制御する制御部を有する。
【００２１】
［第１実施形態］
以下、図面を参照して、３ＧＰＰ規格に準拠して構成される移動通信システム（以下、「ＬＴＥシステム」）にＤ２Ｄ通信を導入する場合の実施形態を説明する。
【００２２】
（ＬＴＥシステム）
図１は、本実施形態に係るＬＴＥシステムの構成図である。
【００２３】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２４】
ＵＥ１００は、移動型の無線通信装置であり、接続を確立したセル（サービングセル）との無線通信を行う。ＵＥ１００はユーザ端末に相当する。
【００２５】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２６】
なお、「セル」は、無線通信エリアの最小単位を示す用語として使用される他に、ＵＥ１００との無線通信を行う機能を示す用語としても使用される。
【００２７】
ｅＮＢ２００は、例えば、無線リソース管理（ＲＲＭ）機能と、ユーザデータのルーティング機能と、モビリティ制御及びスケジューリングのための測定制御機能と、を有する。
【００２８】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００２９】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３０】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３１】
ＯＡＭ４００は、オペレータによって管理されるサーバ装置であり、Ｅ−ＵＴＲＡＮ１０の保守及び監視を行う。
【００３２】
次に、ＵＥ１００及びｅＮＢ２００の構成を説明する。
【００３３】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３４】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３５】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３７】
ＧＮＳＳ受信機１３０は、ＵＥ１００の地理的な位置を示す位置情報を得るために、ＧＮＳＳ信号を受信して、受信した信号をプロセッサ１６０に出力する。
【００３８】
バッテリ１４０は、ＵＥ１００の各ブロックに供給すべき電力を蓄える。
【００３９】
メモリ１５０は、プロセッサ１６０によって実行されるプログラムと、プロセッサ１６０による処理に使用される情報と、を記憶する。
【００４０】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４１】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００４２】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４４】
メモリ２３０は、プロセッサ２４０によって実行されるプログラムと、プロセッサ２４０による処理に使用される情報と、を記憶する。
【００４５】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４６】
図４は、ＬＴＥシステムにおける無線インターフェイスのプロトコルスタック図である。
【００４７】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４８】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００４９】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５０】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５１】
ＰＤＣＰレイヤは、ヘッダ圧縮・伸張、及び暗号化・復号化を行う。
【００５２】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５３】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５４】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。複信方式としては、ＦＤＤ（Ｆｒｅｑｕｅｎｃｙ  Ｄｉｖｉｓｉｏｎ  Ｄｕｐｌｅｘ）方式又はＴＤＤ（Ｔｉｍｅ  Ｄｉｖｉｓｉｏｎ  Ｄｕｐｌｅｘ）方式の何れかが使用されるが、本実施形態では主としてＦＤＤ方式を想定する。
【００５５】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５６】
ＵＥ１００に割り当てられる無線リソースのうち、周波数リソースはリソースブロックにより特定でき、時間リソースはサブフレーム（又はスロット）により特定できる。
【００５７】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００５８】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。具体的には、ＤＭＲＳは、ノーマルＣＰの場合は各スロットの４シンボル目に配置され、拡張ＣＰの場合は各スロットの３シンボル目に配置される。ＳＲＳは、サブフレームの最終シンボルに配置される。
【００５９】
また、上りリンクにおいては、ランダムアクセス信号の送信に使用される物理ランダムアクセスチャネル（ＰＲＡＣＨ）リソースが配置される。具体的には、ＳＩＢ（ＰＲＡＣＨ−Ｃｏｎｆｉｇ  ｉｎｆｏｒｍａｔｉｏｎ  ｅｌｅｍｅｎｔｓ）で通知されるリソースで、特定の１つ又は複数のサブフレームにそれぞれ６リソースブロック（複数サブフレームの場合、同じリソースブロック）が予約される。例えば、ＰＲＡＣＨリソースは、サブフレーム＃３及び＃８のリソースブロック＃４２乃至＃４７に配置される。
【００６０】
上りリンクに使用される無線リソース（上りリンク無線リソース）は、上りリンク参照信号及び上りリンク制御信号の送信に使用される特定無線リソースを含む。本実施形態では、上りリンク参照信号とは、ＳＲＳ及びＤＭＲＳである。上りリンク制御信号とは、ＰＵＣＣＨ上で送信される信号及びＰＲＡＣＨ上で送信される信号である。上りリンク参照信号及び上りリンク制御信号の詳細については後述する。
【００６１】
（Ｄ２Ｄ通信）
次に、ＬＴＥシステムの通常の通信（セルラ通信）とＤ２Ｄ通信とを比較して説明する。セルラ通信では、ネットワーク（ｅＮＢ２００）及びＵＥ１００間でデータ通信を行う。これに対し、Ｄ２Ｄ通信では、２以上のＵＥ１００間で直接的にデータ通信を行う。
【００６２】
図６は、セルラ通信におけるデータパスを示す。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６３】
図６に示すように、セルラ通信のデータパスはネットワークを経由する。詳細には、ｅＮＢ２００−１、Ｓ−ＧＷ３００、及びｅＮＢ２００−２を経由するデータパスが設定される。
【００６４】
図７は、Ｄ２Ｄ通信におけるデータパスを示す。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００６５】
例えば、ＵＥ１００−１及びＵＥ１００−２のうち一方のＵＥ１００が、近傍に存在する他方のＵＥ１００を発見することで、Ｄ２Ｄ通信が開始される。なお、Ｄ２Ｄ通信を開始するために、ＵＥ１００は、自身の近傍に存在する他のＵＥ１００を発見する（Ｄｉｓｃｏｖｅｒ）機能を有する。また、ＵＥ１００は、他のＵＥ１００から発見される(Ｄｉｓｃｏｖｅｒａｂｌｅ)機能を有する。
【００６６】
図７に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。
【００６７】
ただし、Ｄ２Ｄ通信はＬＴＥシステムの周波数帯域（すなわち、セルラ通信の周波数帯域内）で行われることが想定されており、例えばセルラ通信への干渉を回避するために、ネットワーク（ｅＮＢ２００）の管理下でＤ２Ｄ通信が行われる。本実施形態では、Ｄ２Ｄ通信は、セルラ通信の上りリンク無線リソースの一部を使用して行われる。
【００６８】
（第１実施形態に係る動作）
次に、本実施形態に係る動作を説明する。図８は、セルラ通信及びＤ２Ｄ通信が同時に行われる通信環境を説明するための図である。
【００６９】
図８に示すように、ＵＥ１００−１及びＵＥ１００−２は、Ｄ２Ｄ通信を行っている。これに対し、ＵＥ１００−３は、ｅＮＢ２００とのセルラ通信を行っている。
【００７０】
上述したように、Ｄ２Ｄ通信は、セルラ通信の上りリンク無線リソースの一部を使用して行われる。従って、Ｄ２Ｄ通信及びセルラ通信が同時に行われる場合には、セルラ通信の上りリンクがＤ２Ｄ通信からの干渉を受ける。
【００７１】
そこで、本実施形態では、Ｄ２Ｄ通信は、特定無線リソースを使用せずに、上りリンク無線リソースのうち特定無線リソース以外の無線リソースを使用して行われる。特定無線リソースは、上りリンク参照信号の送信に使用される上りリンク参照信号リソース、及び上りリンク制御信号の送信に使用される上りリンク制御信号リソースである。
【００７２】
これにより、Ｄ２Ｄ通信及びセルラ通信が同時に行われる場合であっても、上りリンク参照信号及び上りリンク制御信号はＤ２Ｄ通信からの干渉を受けない。従って、Ｄ２Ｄ通信からの干渉に起因してセルラ通信が不能になることを回避できるため、Ｄ２Ｄ通信をセルラ通信と両立できる。
【００７３】
以下において、Ｄ２Ｄ通信において特定無線リソースの使用を禁止するための動作パターン１及び２を説明する。
【００７４】
（１）動作パターン１
動作パターン１では、Ｄ２Ｄ通信のための無線リソース割当であるＤ２Ｄリソース割当をｅＮＢ２００主導で行う。この場合、Ｄ２Ｄ通信に使用する無線リソース（Ｄ２Ｄリソース）をｅＮＢ２００が決定する。すなわち、ＵＥ１００は、Ｄ２Ｄリソースの選択権を持たない。ｅＮＢ２００は、動的又は準静的に割り当てたＤ２ＤリソースをＵＥ１００に通知する。ＵＥ１００は、当該割り当てられたＤ２Ｄリソースを用いてＤ２Ｄ通信を行う。
【００７５】
ここで、Ｄ２Ｄリソース割当を行うｅＮＢ２００は、Ｄ２Ｄリソースとして、上りリンク無線リソースのうち特定無線リソース以外の無線リソースを割り当てる。具体的には、ｅＮＢ２００は、リソースブロック単位で特定無線リソースの使用を禁止する。例えば、ｅＮＢ２００は、Ｄ２Ｄリソースとして、上りリンク無線リソースのうちＰＵＣＣＨリソース及びＰＲＡＣＨリソース以外のリソースブロックを割り当てる。
【００７６】
ＰＵＣＣＨリソースをＤ２Ｄ通信に使用しないことにより、Ｄ２Ｄ通信からの干渉を受けずにセルラ通信における各種の制御情報（ＡＣＫ／ＮＡＣＫ、ＣＱＩなど）を正常に伝送できる。また、ＰＵＣＣＨリソースをＤ２Ｄ通信に使用しないことにより、Ｄ２Ｄ通信中のＵＥ１００がセルラのＰＵＣＣＨを送信することが可能となる。
【００７７】
さらに、ＰＲＡＣＨリソースをＤ２Ｄ通信に使用しないことにより、Ｄ２Ｄ通信からの干渉を受けずにセルラ通信におけるランダムアクセス信号を正常に伝送できる。
【００７８】
図９は、動作パターン１において割り当てられるＤ２Ｄリソースの一例を説明するための図である。ここでは、上りリンク周波数帯における１無線フレーム分の上りリンク無線リソースを図示している。
【００７９】
図９に示すように、ｅＮＢ２００は、Ｄ２Ｄリソースとして、ＰＵＳＣＨリソースに含まれる一部のリソースブロックを割り当てる。ＰＵＳＣＨ上で送信される上りリンクデータ（ユーザデータ）は、Ｄ２Ｄ通信から干渉を受けても再送等によって回復可能であり、Ｄ２Ｄ通信からの干渉を許容できるからである。
【００８０】
ＵＥ１００−１及びＵＥ１００−２がＤ２Ｄ通信を行うケースを想定すると、ｅＮＢ２００は、サブフレーム＃１におけるＰＵＳＣＨリソースに含まれる一部のリソースブロックを、ＵＥ１００−１によるデータ送信及びＵＥ１００−２によるデータ受信に割り当てる。また、ｅＮＢ２００は、サブフレーム＃３におけるＰＵＳＣＨリソースに含まれる一部のリソースブロックを、ＵＥ１００−１によるデータ受信及びＵＥ１００−２によるデータ送信に割り当てる。
【００８１】
さらに、ＵＥ１００は、Ｄ２Ｄリソース割当によって特定無線リソースが割り当てられた場合であっても、特定無線リソースをＤ２Ｄ通信に使用しない。具体的には、ＵＥ１００は、シンボル単位で特定無線リソースの使用を禁止する。例えば、ＵＥ１００は、ＳＲＳリソース及びＤＭＲＳリソースをＤ２Ｄ通信に使用しない。
【００８２】
図１０は、ＳＲＳリソース及びＤＭＲＳリソースを説明するための図である。ここではノーマルＣＰ設定のケースを図示している。
【００８３】
図１０に示すように、ＳＲＳリソースは、サブフレームの最終シンボルに配置される。ＤＭＲＳは、各スロットの４シンボル目に配置される。
【００８４】
ＳＲＳリソースをＤ２Ｄ通信に使用しないことにより、Ｄ２Ｄ通信からの干渉を受けずにセルラ通信におけるＳＲＳを正常に伝送できる。また、ＳＲＳリソースをＤ２Ｄ通信に使用しないことにより、Ｄ２Ｄ通信中のＵＥ１００がセルラのＳＲＳを送信することが可能となる。さらに、ＳＲＳリソースはサブフレームの最終シンボルに配置されるため、ＳＲＳリソースに対応するシンボル期間をＤ２Ｄ通信の送受信切り替えのための期間として使用してもよい。
【００８５】
また、ＤＭＲＳリソースをＤ２Ｄ通信に使用しないことにより、Ｄ２Ｄ通信からの干渉を受けずにセルラ通信におけるＤＭＲＳを正常に伝送できる。また、ＤＭＲＳリソースは各スロットの４シンボル目に配置されるため、ＤＭＲＳリソースに対応するシンボル期間をＤ２Ｄ通信の送受信切り替えのための期間として使用し、Ｄ２Ｄ通信の送受信をスロット単位で切り替えてもよい。
【００８６】
（２）動作パターン２
動作パターン２では、Ｄ２Ｄ通信のための無線リソース割当であるＤ２Ｄリソース割当をＵＥ１００主導で行う。この場合、Ｄ２ＤリソースをＵＥ１００が選択できる。ｅＮＢ２００は、Ｄ２Ｄ通信に使用可能な無線リソースである割り当て候補無線リソースを示す情報をＵＥ１００に送信する。
【００８７】
図１１は、動作パターン２における割り当て候補無線リソースの一例を説明するための図である。ここでは、上りリンク周波数帯における１無線フレーム分の上りリンク無線リソースを図示している。
【００８８】
図１１に示すように、ｅＮＢ２００は、割り当て候補無線リソースとして、特定のサブフレームを指定する。図１１の例では、無線フレーム内のサブフレーム＃１乃至＃３が割り当て候補無線リソースとして指定される。
【００８９】
ＵＥ１００は、割り当て候補無線リソースの中からＤ２Ｄリソースを自律的に選択する。
【００９０】
ここで、Ｄ２Ｄリソース割当を行うＵＥ１００は、Ｄ２Ｄリソースとして、上りリンク無線リソースのうち特定無線リソース以外の無線リソースを割り当てる。具体的には、ＵＥ１００は、リソースブロック単位で特定無線リソースの使用を禁止する。例えば、ＵＥ１００は、Ｄ２Ｄリソースとして、上りリンク無線リソースのうちＰＵＣＣＨリソース及びＰＲＡＣＨリソース以外のリソースブロックを割り当てる。
【００９１】
ＰＵＣＣＨリソースをＤ２Ｄ通信に使用しないことにより、Ｄ２Ｄ通信からの干渉を受けずに各種の制御情報（ＡＣＫ／ＮＡＣＫ、ＣＱＩなど）を正常に伝送できる。また、ＰＵＣＣＨリソースをＤ２Ｄ通信に使用しないことにより、Ｄ２Ｄ通信中のＵＥ１００がセルラのＰＵＣＣＨを送信することが可能となる。
【００９２】
さらに、ＰＲＡＣＨリソースをＤ２Ｄ通信に使用しないことにより、Ｄ２Ｄ通信からの干渉を受けずにランダムアクセス信号を正常に伝送できる。
【００９３】
また、動作パターン１と同様に、ＵＥ１００は、Ｄ２Ｄリソース割当によって特定無線リソースを割り当てた場合であっても、特定無線リソースをＤ２Ｄ通信に使用しない。具体的には、ＵＥ１００は、シンボル単位で特定無線リソースの使用を禁止する。例えば、ＵＥ１００は、ＳＲＳリソース及びＤＭＲＳリソースをＤ２Ｄ通信に使用しない。
【００９４】
ＳＲＳリソースをＤ２Ｄ通信に使用しないことにより、Ｄ２Ｄ通信からの干渉を受けずにセルラ通信におけるＳＲＳを正常に伝送できる。また、ＳＲＳリソースをＤ２Ｄ通信に使用しないことにより、Ｄ２Ｄ通信中のＵＥ１００がセルラのＳＲＳを送信することが可能となる。さらに、ＳＲＳリソースはサブフレームの最終シンボルに配置されるため、ＳＲＳリソースに対応するシンボル期間をＤ２Ｄ通信の送受信切り替えのための期間として使用してもよい。
【００９５】
また、ＤＭＲＳリソースをＤ２Ｄ通信に使用しないことにより、Ｄ２Ｄ通信からの干渉を受けずにセルラ通信におけるＤＭＲＳを正常に伝送できる。また、ＤＭＲＳリソースは各スロットの４シンボル目に配置されるため、ＤＭＲＳリソースに対応するシンボル期間をＤ２Ｄ通信の送受信切り替えのための期間として使用し、Ｄ２Ｄ通信の送受信をスロット単位で切り替えてもよい。
【００９６】
［変更例］
上述した第１実施形態では、Ｄ２Ｄ通信は、特定無線リソース（ＳＲＳリソース、ＤＭＲＳリソース、ＰＵＣＣＨリソース、ＰＲＡＣＨリソース）を使用せずに、下りリンク無線リソースのうち特定無線リソース以外の無線リソースを使用して行われていた。すなわち、Ｄ２Ｄ通信において特定無線リソースの使用が禁止されていた。
【００９７】
しかしながら、Ｄ２Ｄ通信において特定無線リソースの使用を禁止することに代えて、送信電力を低下させた上で特定無線リソースを使用してもよい。
【００９８】
言い換えると、Ｄ２Ｄ通信において特定無線リソースを使用してＤ２Ｄ通信信号を送信する場合には、特定無線リソースに対応するＤ２Ｄ通信信号の送信電力は、所定値よりも低い値に設定される。具体的には、特定無線リソースに含まれるリソースエレメントの送信電力は、他のリソースエレメントの送信電力よりも低い値に設定される。
【００９９】
例えば、Ｄ２Ｄ通信において特定無線リソースを使用してＤ２Ｄ通信信号を送信する場合で、かつ、Ｄ２Ｄ通信のための送信電力制御であるＤ２Ｄ電力制御をｅＮＢ２００主導で行う場合には、Ｄ２Ｄ電力制御を行うｅＮＢ２００は、特定無線リソースに対応するＤ２Ｄ通信信号の送信電力を所定値よりも低い値に設定する。
【０１００】
これに対し、Ｄ２Ｄ通信において特定無線リソースを使用してＤ２Ｄ通信信号を送信する場合で、かつ、Ｄ２Ｄ通信のための送信電力制御であるＤ２Ｄ電力制御をＵＥ１００主導で行う場合には、Ｄ２Ｄ電力制御を行うＵＥ１００は、特定無線リソースに対応するＤ２Ｄ通信信号の送信電力を所定値よりも低い値に設定する。
【０１０１】
［第２実施形態及び第３実施形態の概要］
第２実施形態及び第３実施形態に係る移動通信システムは、ネットワーク及びユーザ端末間でデータ通信を行うセルラ通信と、２以上のユーザ端末間で直接的にデータ通信を行うＤ２Ｄ通信と、をサポートする。前記Ｄ２Ｄ通信は、前記セルラ通信の下りリンク無線リソースの一部を使用して行われる。前記下りリンク無線リソースは、前記セルラ通信において所定の下りリンク信号の送信に使用される特定無線リソースを含む。前記特定無線リソースは、前記Ｄ２Ｄ通信における使用が規制されている。従って、セルラ通信の下りリンクがＤ２Ｄ通信から受ける干渉の影響を抑制できるため、Ｄ２Ｄ通信をセルラ通信と両立できる。
【０１０２】
第２実施形態では、前記所定の下りリンク信号は、前記セルラ通信の制御に使用される下りリンク制御信号である。例えば、前記下りリンク制御信号は、同期信号、及び／又は、物理ブロードキャストチャネル（ＰＢＣＨ）上で送信される信号である。従って、Ｄ２Ｄ通信からの干渉に起因してセルラ通信の制御が困難になることを回避できるため、Ｄ２Ｄ通信をセルラ通信と両立できる。一方、物理下りリンク共有チャネル（ＰＤＳＣＨ）上で送信される下りリンクデータ（ユーザデータ）については、下りリンク制御信号とは異なり、Ｄ２Ｄ通信から干渉を受けても再送等によって回復可能であるため、Ｄ２Ｄ通信からの干渉を許容できる。
【０１０３】
第３実施形態では、前記所定の下りリンク信号は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）信号である。また、前記特定無線リソースは、ＭＢＳＦＮ（ＭＢＭＳ  Ｓｉｎｇｌｅ  Ｆｒｅｑｕｅｎｃｙ  Ｎｅｔｗｏｒｋ）サブフレームである。このように、ＭＢＳＦＮサブフレームをＤ２Ｄ通信に使用しないことにより、ユーザ端末は、Ｄ２Ｄ通信を行う場合であっても、ＭＢＳＦＮサブフレームで送信されるＭＢＭＳ信号を受信できる。従って、Ｄ２Ｄ通信をＭＢＭＳと両立できる。
【０１０４】
第２実施形態及び第３実施形態では、前記Ｄ２Ｄ通信は、前記特定無線リソースを使用せずに、前記下りリンク無線リソースのうち前記特定無線リソース以外の無線リソースを使用して行われる。例えば、前記Ｄ２Ｄ通信のための無線リソース割当であるＤ２Ｄリソース割当を基地局主導で行う場合に、前記Ｄ２Ｄリソース割当を行う基地局は、前記特定無線リソースを前記Ｄ２Ｄ通信に割り当てない。或いは、前記Ｄ２Ｄ通信のための無線リソース割当であるＤ２Ｄリソース割当をユーザ端末主導で行う場合に、前記Ｄ２Ｄリソース割当を行うユーザ端末は、前記特定無線リソースを前記Ｄ２Ｄ通信に割り当てない。さらに、前記Ｄ２Ｄ通信のための無線リソース割当であるＤ２Ｄリソース割当によって前記特定無線リソースがユーザ端末に割り当てられた場合であっても、前記特定無線リソースが割り当てられた前記ユーザ端末は、前記特定無線リソースを前記Ｄ２Ｄ通信に使用しない。従って、Ｄ２Ｄ通信からの干渉に起因してセルラ通信の制御が困難になることを確実に回避できる。
【０１０５】
第２実施形態の変更例では、前記Ｄ２Ｄ通信において前記特定無線リソースを使用してＤ２Ｄ通信信号を送信する場合に、前記特定無線リソースに対応する前記Ｄ２Ｄ通信信号の送信電力は、所定値よりも低い値に設定される。例えば、前記Ｄ２Ｄ通信において前記特定無線リソースを使用してＤ２Ｄ通信信号を送信する場合で、かつ、前記Ｄ２Ｄ通信のための送信電力制御であるＤ２Ｄ電力制御を基地局主導で行う場合に、前記Ｄ２Ｄ電力制御を行う基地局は、前記特定無線リソースに対応する前記Ｄ２Ｄ通信信号の送信電力を前記所定値よりも低い値に設定する。或いは、前記Ｄ２Ｄ通信において前記特定無線リソースを使用してＤ２Ｄ通信信号を送信する場合で、かつ、前記Ｄ２Ｄ通信のための送信電力制御であるＤ２Ｄ電力制御をユーザ端末主導で行う場合に、前記Ｄ２Ｄ電力制御を行うユーザ端末は、前記特定無線リソースに対応する前記Ｄ２Ｄ通信信号の送信電力を前記所定値よりも低い値に設定する。
【０１０６】
第２実施形態及び第３実施形態に係るユーザ端末は、ネットワーク及びユーザ端末間でデータ通信を行うセルラ通信と、２以上のユーザ端末間で直接的にデータ通信を行うＤ２Ｄ通信と、をサポートする移動通信システムにおけるユーザ端末である。前記Ｄ２Ｄ通信は、前記セルラ通信の下りリンク無線リソースの一部を使用して行われる。前記下りリンク無線リソースは、前記セルラ通信において所定の下りリンク信号の送信に使用される特定無線リソースを含む。前記ユーザ端末は、前記Ｄ２Ｄ通信において前記特定無線リソースの使用を規制するよう制御する制御部を有する。
【０１０７】
第２実施形態及び第３実施形態に係る基地局は、ネットワーク及びユーザ端末間でデータ通信を行うセルラ通信と、２以上のユーザ端末間で直接的にデータ通信を行うＤ２Ｄ通信と、をサポートする移動通信システムにおける基地局である。前記Ｄ２Ｄ通信は、前記セルラ通信の下りリンク無線リソースの一部を使用して行われる。前記下りリンク無線リソースは、前記セルラ通信において所定の下りリンク信号の送信に使用される特定無線リソースを含む。前記基地局は、前記Ｄ２Ｄ通信において前記特定無線リソースの使用を規制するよう制御する制御部を有する。
【０１０８】
第２実施形態及び第３実施形態に係るプロセッサは、ネットワーク及びユーザ端末間でデータ通信を行うセルラ通信と、２以上のユーザ端末間で直接的にデータ通信を行うＤ２Ｄ通信と、をサポートする移動通信システムにおけるユーザ端末に備えられる。前記Ｄ２Ｄ通信は、前記セルラ通信の下りリンク無線リソースの一部を使用して行われる。前記下りリンク無線リソースは、前記セルラ通信において所定の下りリンク信号の送信に使用される特定無線リソースを含む。前記プロセッサは、前記Ｄ２Ｄ通信において前記特定無線リソースの使用を規制するための処理を行う。
【０１０９】
第２実施形態及び第３実施形態に係るプロセッサは、ネットワーク及びユーザ端末間でデータ通信を行うセルラ通信と、２以上のユーザ端末間で直接的にデータ通信を行うＤ２Ｄ通信と、をサポートする移動通信システムにおける基地局に備えられる。前記Ｄ２Ｄ通信は、前記セルラ通信の下りリンク無線リソースの一部を使用して行われる。前記下りリンク無線リソースは、前記セルラ通信において所定の下りリンク信号の送信に使用される特定無線リソースを含む。前記プロセッサは、前記Ｄ２Ｄ通信において前記特定無線リソースの使用を規制するための処理を行う。
【０１１０】
［第２実施形態］
第２実施形態について、上述した第１実施形態との相違点を主として説明する。第２実施形態は、システム構成については第１実施形態と同様である。
【０１１１】
第１実施形態では主として上りリンクに着目していたが、第２実施形態では主として下りリンクに着目する。
【０１１２】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【０１１３】
下りリンクに使用される無線リソース（下りリンク無線リソース）は、セルラ通信の制御に使用される下りリンク制御信号（所定の下りリンク信号）の送信に使用される特定無線リソースを含む。本実施形態では、下りリンク制御信号とは、同期信号、及び／又は、物理ブロードキャストチャネル（ＰＢＣＨ）上で送信される信号である。同期信号は、プライマリ同期信号（ＰＳＳ）及びセカンダリ同期信号（ＳＳＳ）を含む。下りリンク制御信号の詳細については後述する。
【０１１４】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。具体的には、ＤＭＲＳは、ノーマルＣＰの場合は各スロットの４シンボル目に配置され、拡張ＣＰの場合は各スロットの３シンボル目に配置される。ＳＲＳは、サブフレームの最終シンボルに配置される。
【０１１５】
（Ｄ２Ｄ通信）
第２実施形態に係るＬＴＥシステムは、第１実施形態と同様に、Ｄ２Ｄ通信をサポートする。Ｄ２Ｄ通信はＬＴＥシステムの周波数帯域（すなわち、セルラ通信の周波数帯域内）で行われることが想定されており、例えばセルラ通信への干渉を回避するために、ネットワーク（ｅＮＢ２００）の管理下でＤ２Ｄ通信が行われる。本実施形態では、Ｄ２Ｄ通信は、セルラ通信の下りリンク無線リソースの一部を使用して行われる。
【０１１６】
（第２実施形態に係る動作）
次に、本実施形態に係る動作を説明する。図１２は、セルラ通信及びＤ２Ｄ通信が同時に行われる通信環境を説明するための図である。
【０１１７】
図１２に示すように、ＵＥ１００−１及びＵＥ１００−２は、Ｄ２Ｄ通信を行っている。これに対し、ＵＥ１００−３は、ｅＮＢ２００とのセルラ通信を行っている。
【０１１８】
上述したように、Ｄ２Ｄ通信は、セルラ通信の下りリンク無線リソースの一部を使用して行われる。従って、Ｄ２Ｄ通信及びセルラ通信が同時に行われる場合には、セルラ通信の下りリンクがＤ２Ｄ通信からの干渉を受ける。
【０１１９】
そこで、本実施形態では、Ｄ２Ｄ通信は、特定無線リソースを使用せずに、下りリンク無線リソースのうち特定無線リソース以外の無線リソースを使用して行われる。すなわち、Ｄ２Ｄ通信において特定無線リソースの使用が禁止される。
【０１２０】
特定無線リソースは、セルラ通信の制御に使用される下りリンク制御信号の送信に使用される無線リソースである。下りリンク制御信号は、同期信号、及び／又は、ＰＢＣＨ上で送信される信号である。同期信号は、同期の確立に使用される信号であって、ＰＳＳ及びＳＳＳを含む。ＰＢＣＨ上で送信される信号とは、例えばマスタ情報ブロック（ＭＩＢ）である。
【０１２１】
図１３は、本実施形態に係る特定無線リソース（ＰＳＳリソース、ＳＳＳリソース、ＰＢＣＨリソース）を説明するための図である。
【０１２２】
図１３に示すように、ＰＳＳリソース、ＳＳＳリソース、ＰＢＣＨリソースは、周波数方向において、下りリンク周波数帯の中央の６リソースブロックに配置される。ＰＳＳリソースは、時間方向において、５サブフレーム毎に前半スロットの最後のＯＦＤＭシンボルに配置される。ＳＳＳリソースは、ＰＳＳリソースと同じスロットの最後から２番目（すなわちＰＳＳリソースの直前）のＯＦＤＭシンボルに配置される。ＰＢＣＨリソースは、１０サブフレーム（１無線フレーム）毎に後半スロットの先頭から４ＯＦＤＭシンボルに配置される。
【０１２３】
ＵＥ１００は、ＰＳＳ及びＳＳＳを正常に受信すると、セルとの同期をとることができる。また、ＵＥ１００は、セルサーチの完了後、該セルからのシステム情報を正常に受信すると、該セルとの接続を確立するために必要な情報をシステム情報から取得し、該セルへの接続処理を行う。システム情報は、ＭＩＢ及びシステム情報ブロック（ＳＩＢ）を含む。ＭＩＢは、セルの基本情報及びＳＩＢを受信するために必要な情報を含む。ＳＩＢは、ＰＤＳＣＨを用いて送信される。ＳＩＢは、セルとの接続を確立するために必要な情報を含む。
【０１２４】
このように、ＵＥ１００は、セルとの接続を確立するためには、先ずは該セルからの下りリンク制御信号（ＰＳＳ、ＳＳＳ、ＭＩＢ）を受信する必要がある。
【０１２５】
本実施形態では、Ｄ２Ｄ通信において特定無線リソース（ＰＳＳリソース、ＳＳＳリソース、ＰＢＣＨリソース）の使用が禁止されるため、下りリンク制御信号（ＰＳＳ、ＳＳＳ、ＭＩＢ）はＤ２Ｄ通信からの干渉を受けない。従って、Ｄ２Ｄ通信からの干渉に起因してセルラ通信が不能になることを回避できるため、Ｄ２Ｄ通信をセルラ通信と両立できる。
【０１２６】
以下において、本実施形態に係る動作パターン１及び２を説明する。
【０１２７】
（１）動作パターン１
動作パターン１では、Ｄ２Ｄ通信のための無線リソース割当であるＤ２Ｄリソース割当をｅＮＢ２００主導で行う。この場合、Ｄ２Ｄ通信に使用する無線リソース（Ｄ２Ｄリソース）をｅＮＢ２００が決定する。すなわち、ＵＥ１００は、Ｄ２Ｄリソースの選択権を持たない。ｅＮＢ２００は、動的又は準静的に割り当てたＤ２ＤリソースをＵＥ１００に通知する。ＵＥ１００は、当該割り当てられたＤ２Ｄリソースを用いてＤ２Ｄ通信を行う。
【０１２８】
動作パターン１では、Ｄ２Ｄリソース割当を行うｅＮＢ２００は、Ｄ２Ｄリソースとして、下りリンク無線リソースのうち特定無線リソース以外の無線リソースを割り当てる。この場合、ｅＮＢ２００は、リソースブロック単位で特定無線リソースの使用を禁止できる。具体的には、ｅＮＢ２００は、Ｄ２Ｄリソースとして、特定無線リソースを含む中央の６リソースブロック以外のリソースブロックを割り当てる。
【０１２９】
或いは、ＵＥ１００は、Ｄ２Ｄリソース割当によって特定無線リソースが割り当てられた場合であっても、特定無線リソースをＤ２Ｄ通信に使用しない。この場合、ＵＥ１００は、シンボル単位で特定無線リソースの使用を禁止できる。具体的には、ＵＥ１００は、特定無線リソースに相当するシンボル区間をＤ２Ｄ通信に使用しない。或いは、ＵＥ１００は、シンボル単位での禁止に代えて、リソースブロック単位で特定無線リソースの使用を禁止してもよい。例えば、ＵＥ１００は、特定無線リソースについては、割当があった場合でもこれを無視する。
【０１３０】
（２）動作パターン２
動作パターン２では、Ｄ２Ｄ通信のための無線リソース割当であるＤ２Ｄリソース割当をＵＥ１００主導で行う。この場合、Ｄ２ＤリソースをＵＥ１００が選択できる。ｅＮＢ２００は、Ｄ２Ｄ通信に使用可能な無線リソースである割り当て候補無線リソースを示す情報をＵＥ１００に送信する。ＵＥ１００は、割り当て候補無線リソースの中からＤ２Ｄリソースを自律的に選択する。
【０１３１】
動作パターン２では、Ｄ２Ｄリソース割当を行うＵＥ１００は、Ｄ２Ｄリソースとして、下りリンク無線リソースのうち特定無線リソース以外の無線リソースを割り当てる。この場合、ＵＥ１００は、リソースブロック単位で特定無線リソースの使用を禁止できる。具体的には、ＵＥ１００は、Ｄ２Ｄリソースとして、特定無線リソースを含む中央の６リソースブロック以外のリソースブロックを割り当てる。
【０１３２】
或いは、ＵＥ１００は、Ｄ２Ｄリソース割当によって特定無線リソースを割り当てた場合であっても、特定無線リソースをＤ２Ｄ通信に使用しない。この場合、ＵＥ１００は、シンボル単位で特定無線リソースの使用を禁止できる。具体的には、ＵＥ１００は、特定無線リソースに相当するシンボル区間をＤ２Ｄ通信に使用しない。或いは、ＵＥ１００は、シンボル単位での禁止に代えて、リソースブロック単位で特定無線リソースの使用を禁止してもよい。例えば、ＵＥ１００は、特定無線リソースについては、割当があった場合でもこれを無視する。
【０１３３】
［第３実施形態］
上述した第２実施形態では、Ｄ２Ｄ通信において使用が禁止される特定無線リソースは、ＰＳＳの送信に使用されるＰＳＳリソース、ＳＳＳの送信に使用されるＳＳＳリソース、ＭＩＢの送信に使用されるＰＢＣＨリソースであった。
【０１３４】
これに対し、第３実施形態では、Ｄ２Ｄ通信において使用が禁止される特定無線リソースは、ＭＢＭＳ信号の送信に使用されるＭＢＳＦＮサブフレームである。
【０１３５】
（ＭＢＭＳ機能）
ここで、ＬＴＥシステムにおけるＭＢＭＳ機能について説明する。ＭＢＭＳ機能は、同報型配信を実現するベアラサービスを提供する。ＭＢＭＳ機能によれば、ＭＢＭＳサービスに興味を示す複数のＵＥ１００に対して、共通のベアラで一斉にＭＢＭＳ信号を送信できる。
【０１３６】
ＬＴＥシステムでは、複数のｅＮＢ２００（複数のセル）がＭＢＳＦＮ（ＭＢＭＳ  Ｓｉｎｇｌｅ  Ｆｒｅｑｕｅｎｃｙ  Ｎｅｔｗｏｒｋ）を構成する。ＭＢＳＦＮを構成する各ｅＮＢ２００は、ＭＢＳＦＮサブフレームにおいて同一のＭＢＭＳ信号を一斉同期送信する。これにより、ＵＥ１００は、各ｅＮＢ２００から送信されたＭＢＭＳ信号をＲＦ（Ｒａｄｉｏ  Ｆｒｅｑｕｅｎｃｙ）合成できる。また、共通の周波数帯で複数のＵＥ１００がＭＢＭＳ信号を同時に受信することにより、無線リソースを節約できる。
【０１３７】
上述したように、Ｄ２Ｄ通信は、セルラ通信の下りリンク無線リソースの一部を使用して行われる。従って、ＭＢＳＦＮサブフレームにおいてＵＥ１００がＤ２Ｄ通信を行うと、当該ＵＥ１００は、ＭＢＭＳ信号の受信を望む場合であっても、ＭＢＭＳ信号を受信できない。
【０１３８】
そこで、本実施形態では、Ｄ２Ｄ通信は、ＭＢＳＦＮサブフレームを使用せずに、下りリンク無線リソースのうちＭＢＳＦＮサブフレーム以外のサブフレームを使用して行われる。すなわち、Ｄ２Ｄ通信においてＭＢＳＦＮサブフレームの使用が禁止される。従って、ＵＥ１００は、Ｄ２Ｄ通信を行う場合であっても、ＭＢＭＳ信号を受信できる。
【０１３９】
図１４は、本実施形態に係る特定無線リソース（ＭＢＳＦＮサブフレーム）を説明するための図である。
【０１４０】
図１４に示すように、下りリンクの無線フレームにおいて、サブフレーム番号＃１及び＃６のサブフレームをＭＢＳＦＮサブフレームとして設定できる。サブフレーム番号＃１及び＃６以外のサブフレームは、通常のサブフレームである。
【０１４１】
（第３実施形態に係る動作）
以下において、本実施形態に係る動作パターン１及び２を説明する。
【０１４２】
（１）動作パターン１
動作パターン１では、Ｄ２Ｄ通信のための無線リソース割当であるＤ２Ｄリソース割当をｅＮＢ２００主導で行う。この場合、Ｄ２Ｄ通信に使用する無線リソース（Ｄ２Ｄリソース）をｅＮＢ２００が決定する。すなわち、ＵＥ１００は、Ｄ２Ｄリソースの選択権を持たない。ｅＮＢ２００は、動的又は準静的に割り当てたＤ２ＤリソースをＵＥ１００に通知する。ＵＥ１００は、当該割り当てられたＤ２Ｄリソースを用いてＤ２Ｄ通信を行う。
【０１４３】
動作パターン１では、Ｄ２Ｄリソース割当を行うｅＮＢ２００は、Ｄ２Ｄリソースとして、下りリンク無線リソースのうち特定無線リソース以外の無線リソースを割り当てる。具体的には、ｅＮＢ２００は、Ｄ２Ｄリソースとして、ＭＢＳＦＮサブフレームに含まれるリソースブロック以外のリソースブロックを割り当てる。
【０１４４】
或いは、ＵＥ１００は、Ｄ２Ｄリソース割当によってＭＢＳＦＮサブフレームに含まれるリソースブロックが割り当てられても、ＭＢＳＦＮサブフレームに含まれるリソースブロックをＤ２Ｄ通信に使用しない。或いは、ＵＥ１００は、Ｄ２Ｄリソース割当によってＭＢＳＦＮサブフレームに含まれるリソースブロックが割り当てられても、ＭＢＭＳ信号の受信を望むのであれば、ＭＢＳＦＮサブフレームに含まれるリソースブロックをＤ２Ｄ通信に使用しない。
【０１４５】
（２）動作パターン２
動作パターン２では、Ｄ２Ｄ通信のための無線リソース割当であるＤ２Ｄリソース割当をＵＥ１００主導で行う。この場合、Ｄ２ＤリソースをＵＥ１００が選択できる。ｅＮＢ２００は、Ｄ２Ｄ通信に使用可能な無線リソースである割り当て候補無線リソースを示す情報をＵＥ１００に送信する。ＵＥ１００は、割り当て候補無線リソースの中からＤ２Ｄリソースを自律的に選択する。
【０１４６】
動作パターン２では、Ｄ２Ｄリソース割当を行うＵＥ１００は、Ｄ２Ｄリソースとして、下りリンク無線リソースのうち特定無線リソース以外の無線リソースを割り当てる。具体的には、ＵＥ１００は、Ｄ２Ｄリソースとして、ＭＢＳＦＮサブフレームに含まれるリソースブロック以外のリソースブロックを割り当てる。なお、Ｄ２Ｄリソース割当を行うＵＥ１００は、ＭＢＭＳ信号の受信を望む場合に、Ｄ２Ｄリソースとして、下りリンク無線リソースのうち特定無線リソース以外の無線リソースを割り当てるとしてもよい。
【０１４７】
或いは、ＵＥ１００は、特定無線リソースについては、割当があった場合でもこれを無視する。この場合、割当される側（ＵＥ１００）で望まないＤ２Ｄリソース割当がされた際に、ＭＢＭＳ受信を優先することができる。
【０１４８】
［変更例］
例えば、上述した第２実施形態及び第３実施形態は、別個独立に実施する場合に限らず、相互に組み合わせて実施してもよい。
【０１４９】
上述した第２実施形態では、Ｄ２Ｄ通信は、特定無線リソース（ＰＳＳリソース、ＳＳＳリソース、ＰＢＣＨリソース）を使用せずに、下りリンク無線リソースのうち特定無線リソース以外の無線リソースを使用して行われていた。すなわち、Ｄ２Ｄ通信において特定無線リソースの使用が禁止されていた。
【０１５０】
しかしながら、第２実施形態の変更例として、送信電力を低下させた上で特定無線リソースを使用してもよい。
【０１５１】
言い換えると、Ｄ２Ｄ通信において特定無線リソースを使用してＤ２Ｄ通信信号を送信する場合には、特定無線リソースに対応するＤ２Ｄ通信信号の送信電力は、所定値よりも低い値に設定される。具体的には、特定無線リソースに含まれるリソースエレメントの送信電力は、他のリソースエレメントの送信電力よりも低い値に設定される。ここで、所定値は、以下のようにして決定できる。第１の方法は、所定値が静的に決められている方法である。第２の方法は、所定値が動的に決められる方法である。さらに、第２の方法において、所定値は、ｅＮＢ２００から明示的に指示されてもよく、他の信号(D2D通信用に指定された等)に対する相対値（静的に決まっている）を用いてもよい。ここで、ｅＮＢ２００から明示的に指示する場合には、値が直接通知されてもよく、他の信号等(D2D通信用に指定された送信電力等)に対する相対値が通知されてもよい。
【０１５２】
例えば、Ｄ２Ｄ通信において特定無線リソースを使用してＤ２Ｄ通信信号を送信する場合で、かつ、Ｄ２Ｄ通信のための送信電力制御であるＤ２Ｄ電力制御をｅＮＢ２００主導で行う場合には、Ｄ２Ｄ電力制御を行うｅＮＢ２００は、特定無線リソースに対応するＤ２Ｄ通信信号の送信電力を所定値よりも低い値に設定する。
【０１５３】
これに対し、Ｄ２Ｄ通信において特定無線リソースを使用してＤ２Ｄ通信信号を送信する場合で、かつ、Ｄ２Ｄ通信のための送信電力制御であるＤ２Ｄ電力制御をＵＥ１００主導で行う場合には、Ｄ２Ｄ電力制御を行うＵＥ１００は、特定無線リソースに対応するＤ２Ｄ通信信号の送信電力を所定値よりも低い値に設定する。
【０１５４】
［第４実施形態乃至第６実施形態の概要］
第４実施形態乃至第６実施形態に係る移動通信システムは、ネットワーク及びユーザ端末間でデータ通信を行うセルラ通信と、２以上のユーザ端末間で直接的にデータ通信を行うＤ２Ｄ通信と、をサポートする。前記セルラ通信の下りリンク無線リソースは、前記セルラ通信における特定の機能を実現するための特定のサブフレームを含む。前記Ｄ２Ｄ通信は、前記特定のサブフレームの少なくとも一部を使用して行われる。従って、セルラ通信用の特定のサブフレームをＤ２Ｄ通信のために活用して、セルラ通信とＤ２Ｄ通信との両立を図ることができる。
【０１５５】
第４実施形態及び第５実施形態では、前記特定の機能は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）機能である。また、前記特定のサブフレームは、ＭＢＳＦＮ（ＭＢＭＳ  Ｓｉｎｇｌｅ  Ｆｒｅｑｕｅｎｃｙ  Ｎｅｔｗｏｒｋ）サブフレームである。従って、ＭＢＳＦＮサブフレームをＤ２Ｄ通信のために活用して、セルラ通信とＤ２Ｄ通信との両立を図ることで、無線リソースの効率的な運用が可能となる。
【０１５６】
第４実施形態では、前記Ｄ２Ｄ通信のための無線リソース割当を行う基地局は、当該基地局が収容するユーザ端末から通知されるＭＢＭＳ興味情報に基づいて、前記ＭＢＳＦＮサブフレームの少なくとも一部を前記Ｄ２Ｄ通信に割り当てるか否かを制御する。従って、ユーザ端末におけるＭＢＭＳへの興味の状況に応じて、ＭＢＳＦＮサブフレームをＤ２Ｄ通信に使用するか否かを適切に制御できる。
【０１５７】
第４実施形態では、前記ＭＢＭＳ興味情報は、前記ユーザ端末が受信を希望するＭＢＭＳデータが配信される周波数を示す周波数情報を含む。前記基地局は、前記ＭＢＭＳ興味情報に含まれる前記周波数情報に基づいて、前記ＭＢＳＦＮサブフレームの少なくとも一部を前記Ｄ２Ｄ通信に割り当てるか否かを制御する。従って、ユーザ端末が興味を示さない周波数（キャリア）に属するＭＢＳＦＮサブフレームをＤ２Ｄ通信のために活用できる。
【０１５８】
第５実施形態では、前記Ｄ２Ｄ通信のための無線リソース割当を行う基地局は、当該基地局が収容するユーザ端末から通知されるＭＢＭＳカウント情報に基づいて、前記ＭＢＳＦＮサブフレームの少なくとも一部を前記Ｄ２Ｄ通信に割り当てるか否かを制御する。従って、ユーザ端末におけるＭＢＭＳデータの受信状況に応じて、ＭＢＳＦＮサブフレームをＤ２Ｄ通信に使用するか否かを適切に制御できる。
【０１５９】
第６実施形態では、前記特定の機能は、ＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ)機能である。また、前記特定のサブフレームは、ＡＢＳ（Ａｌｍｏｓｔ  Ｂｌａｎｋ  Ｓｕｂｆｒａｍｅ）である。ＡＢＳは、セル間の干渉回避のために略ブランク（Ａｌｍｏｓｔ  Ｂｌａｎｋ）にされ、セルラ通信が規制されるサブフレームである。従って、ＡＢＳをＤ２Ｄ通信のために活用して、セルラ通信とＤ２Ｄ通信との両立を図ることで、無線リソースの効率的な運用が可能となる。
【０１６０】
第６実施形態では、前記Ｄ２Ｄ通信のための無線リソース割当を行う基地局は、前記ＡＢＳを設定した場合に、前記ＡＢＳの少なくとも一部を前記Ｄ２Ｄ通信に割り当てる。従って、ＡＢＳの設定状況に応じて、ＡＢＳをＤ２Ｄ通信に使用するか否かを適切に制御できる。
【０１６１】
第４実施形態乃至第６実施形態に係るユーザ端末は、ネットワーク及びユーザ端末間でデータ通信を行うセルラ通信と、２以上のユーザ端末間で直接的にデータ通信を行うＤ２Ｄ通信と、をサポートする移動通信システムにおけるユーザ端末である。前記セルラ通信の下りリンク無線リソースは、前記セルラ通信における特定の機能を実現するための特定のサブフレームを含む。前記ユーザ端末は、前記特定のサブフレームの少なくとも一部を使用して前記Ｄ２Ｄ通信を行うよう制御する制御部を有する。
【０１６２】
第４実施形態乃至第６実施形態に係る基地局は、ネットワーク及びユーザ端末間でデータ通信を行うセルラ通信と、２以上のユーザ端末間で直接的にデータ通信を行うＤ２Ｄ通信と、をサポートする移動通信システムにおける基地局である。前記セルラ通信の下りリンク無線リソースは、前記セルラ通信における特定の機能を実現するための特定のサブフレームを含む。前記基地局は、前記特定のサブフレームの少なくとも一部を使用して前記Ｄ２Ｄ通信を行うよう制御する制御部を有する。
【０１６３】
第４実施形態乃至第６実施形態に係るプロセッサは、ネットワーク及びユーザ端末間でデータ通信を行うセルラ通信と、２以上のユーザ端末間で直接的にデータ通信を行うＤ２Ｄ通信と、をサポートする移動通信システムにおけるユーザ端末に備えられる。前記セルラ通信の下りリンク無線リソースは、前記セルラ通信における特定の機能を実現するための特定のサブフレームを含む。前記プロセッサは、前記特定のサブフレームの少なくとも一部を使用して前記Ｄ２Ｄ通信を行うための処理を行う。
【０１６４】
第４実施形態乃至第６実施形態に係るプロセッサは、ネットワーク及びユーザ端末間でデータ通信を行うセルラ通信と、２以上のユーザ端末間で直接的にデータ通信を行うＤ２Ｄ通信と、をサポートする移動通信システムにおける基地局に備えられる。前記セルラ通信の下りリンク無線リソースは、前記セルラ通信における特定の機能を実現するための特定のサブフレームを含む。前記プロセッサは、前記特定のサブフレームの少なくとも一部を使用して前記Ｄ２Ｄ通信を行うための処理を行う。
【０１６５】
［第４実施形態］
第４実施形態について、上述した各実施形態との相違点を主として説明する。第４実施形態は、システム構成については第１実施形態と同様である。
【０１６６】
本実施形態では、Ｄ２Ｄ通信は、セルラ通信の下りリンク無線リソースの一部を使用して行われる。
【０１６７】
Ｄ２Ｄ通信に使用される無線リソース（Ｄ２Ｄリソース）を割り当てる方法としては、次の２つがある。
【０１６８】
第１の方法は、Ｄ２Ｄリソース割当をｅＮＢ２００主導で行う方法である。この場合、Ｄ２ＤリソースをｅＮＢ２００が決定する。すなわち、ＵＥ１００は、Ｄ２Ｄリソースの選択権を持たない。ｅＮＢ２００は、動的又は準静的に割り当てたＤ２ＤリソースをＵＥ１００に通知する。ＵＥ１００は、当該割り当てられたＤ２Ｄリソースを用いてＤ２Ｄ通信を行う。
【０１６９】
第２の方法は、Ｄ２Ｄリソース割当をＵＥ１００主導で行う方法である。この場合、Ｄ２ＤリソースをＵＥ１００が選択できる。ｅＮＢ２００は、Ｄ２Ｄ通信に使用可能な無線リソースである割当候補無線リソースを示す情報をＵＥ１００に送信する。ＵＥ１００は、割当候補無線リソースの中からＤ２Ｄリソースを自律的に選択する。以下において、用語「Ｄ２Ｄリソース」は、割当候補無線リソースも含む概念であるとする。
【０１７０】
（ＭＢＭＳ機能）
ここで、ＬＴＥシステムにおけるＭＢＭＳ機能について説明する。ＭＢＭＳ機能は、同報型配信を実現するベアラサービスを提供する。ＭＢＭＳ機能によれば、ＭＢＭＳサービスに興味を示す複数のＵＥ１００に対して、共通のベアラで一斉にＭＢＭＳデータを送信できる。
【０１７１】
ＬＴＥシステムでは、複数のｅＮＢ２００（複数のセル）がＭＢＳＦＮ（ＭＢＭＳ  Ｓｉｎｇｌｅ  Ｆｒｅｑｕｅｎｃｙ  Ｎｅｔｗｏｒｋ）を構成する。ＭＢＳＦＮを構成する各ｅＮＢ２００は、ＭＢＳＦＮサブフレームにおいて同一のＭＢＭＳデータを一斉同期送信する。
【０１７２】
これにより、ＵＥ１００は、各ｅＮＢ２００から送信されたＭＢＭＳデータをＲＦ（Ｒａｄｉｏ  Ｆｒｅｑｕｅｎｃｙ）合成できる。また、共通の無線リソースを使用して複数のＵＥ１００がＭＢＭＳデータ受信することにより、無線リソースを節約できる。
【０１７３】
図１５は、ＭＢＳＦＮサブフレームを説明するための図である。
【０１７４】
図１５に示すように、下りリンクの無線フレームにおいて、例えばサブフレーム番号＃１及び＃６のサブフレームをＭＢＳＦＮサブフレームとして設定できる。サブフレーム番号＃１及び＃６以外のサブフレームは、通常のサブフレームである。
【０１７５】
（第４実施形態に係る動作）
次に、本実施形態に係る動作を説明する。本実施形態では、下りリンクが複数の周波数（マルチキャリア）で運用されており、かつ周波数ごとに異なるＭＢＭＳデータ（ＭＢＭＳチャンネル）が配信されているケースを想定する。また、同一のＵＥ１００がＤ２Ｄ通信及びセルラ通信を併用するケースを想定する。
【０１７６】
図１６は、本実施形態に係る通信環境を説明するための図である。
【０１７７】
図１６に示すように、ＵＥ１００−１及びＵＥ１００−２は、ｅＮＢ２００のセル内に位置しており、ｅＮＢ２００に収容されている。また、ＵＥ１００−１及びＵＥ１００−２は、ｅＮＢ２００から割り当てられるＤ２Ｄリソースを使用してＤ２Ｄ通信を行っている。
【０１７８】
ＵＥ１００−１は、ｅＮＢ２００から割り当てられる無線リソースを使用してｅＮＢ２００とのセルラ通信を行っている。また、ＵＥ１００−１は、ＭＢＭＳデータの受信を希望する、又はＭＢＭＳデータを受信している。
【０１７９】
ｅＮＢ２００は、ＵＥ１００−１及びＵＥ１００−２によるＤ２Ｄ通信へのＤ２Ｄリソースの割当と、ＵＥ１００−１によるセルラ通信への無線リソースの割当と、を行う。また、ｅＮＢ２００は、下りリンクにおいて、周波数ごとに異なるＭＢＭＳデータを配信している。
【０１８０】
図１７は、本実施形態に係る動作シーケンス図である。ここでは、図１６に示す通信環境下での動作を説明する。
【０１８１】
図１７に示すように、ステップＳ１１において、ＵＥ１００−１は、ＲＲＣメッセージの一つであるＭＢＭＳ興味情報（ＭＢＭＳ  Ｉｎｔｅｒｅｓｔ  Ｉｎｄｉｃａｔｉｏｎ）をｅＮＢ２００に送信する。ｅＮＢ２００は、ＵＥ１００−１からのＭＢＭＳ興味情報を受信する。
【０１８２】
ＭＢＭＳ興味情報は、ＵＥ１００−１が受信を希望するＭＢＭＳデータが配信される周波数を示す周波数情報を含む。
【０１８３】
ここで、ＭＢＭＳ興味情報は、ＵＥ１００−１が受信を希望するＭＢＭＳデータを周波数レベルでしか識別できない。従って、本実施形態では、どのＭＢＭＳデータ（ＭＢＭＳチャンネル）の受信をＵＥ１００−１が希望するかをｅＮＢ２００が把握できないことに留意すべきである。
【０１８４】
なお、現行の仕様において、ＭＢＭＳ興味情報の送信トリガとしては、以下の２つが規定されている。
【０１８５】
第１に、ＭＢＭＳに興味を持つＵＥは、ＲＲＣ接続を確立する際に、すなわち、アイドル状態（ＲＲＣ  Ｉｄｌｅ  Ｓｔａｔｅ）から接続状態（ＲＲＣ  Ｃｏｎｎｅｃｔｅｄ  Ｓｔａｔｅ）に遷移する際に、ＭＢＭＳ興味情報を送信する。
【０１８６】
第２に、ＵＥは、接続状態において、自身が興味を示すＭＢＭＳ周波数を変更する際に、更新されたＭＢＭＳ興味情報を送信する。具体的には、ＵＥは、自身が興味を示すＭＢＭＳ周波数を、最後に（前回）ＭＢＭＳ興味情報を送信した時点から変更する場合に、更新されたＭＢＭＳ興味情報を送信する。
【０１８７】
ステップＳ１２において、ｅＮＢ２００は、ＵＥ１００−１及びＵＥ１００−２によるＤ２Ｄ通信に割り当てるＤ２Ｄリソースを決定する。ここで、ｅＮＢ２００は、ステップＳ１１で受信したＭＢＭＳ興味情報に基づいて、ＭＢＳＦＮサブフレームの少なくとも一部をＤ２Ｄ通信に割り当てるか否かを制御する。
【０１８８】
本実施形態では、ｅＮＢ２００は、ＭＢＭＳ興味情報に含まれる周波数情報に基づいて、ＭＢＳＦＮサブフレームの少なくとも一部をＤ２Ｄ通信に割り当てるか否かを制御する。具体的には、ｅＮＢ２００は、ＭＢＭＳ興味情報に含まれる周波数情報が示す周波数以外の周波数に相当するＭＢＳＦＮサブフレームが存在する場合には、当該ＭＢＳＦＮサブフレームに含まれるリソースブロックをＤ２Ｄ通信に割り当てる。言い換えると、ＵＥ１００−１の興味の無い周波数におけるＭＢＳＦＮサブフレームの中からＤ２Ｄリソースを割り当てる。
【０１８９】
ステップＳ１３において、ｅＮＢ２００は、ステップＳ１２で決定したＤ２Ｄリソースを示すＤ２Ｄリソース情報をＵＥ１００−１に送信する。ＵＥ１００−１は、Ｄ２Ｄリソース情報を受信すると、Ｄ２Ｄリソース情報が示すＤ２Ｄリソースを使用してＤ２Ｄ通信を行う。
【０１９０】
このように、ＵＥ１００−１の興味の無い周波数におけるＭＢＳＦＮサブフレームをＤ２Ｄ通信に使用することにより、Ｄ２Ｄ通信及びセルラ通信の両立を図りつつ、無線リソースを有効活用できる。また、ＵＥ１００−１は、Ｄ２Ｄ通信を行いながら、興味のある周波数で配信されるＭＢＭＳデータを受信できる。
【０１９１】
［第５実施形態］
以下、第５実施形態について、第４実施形態との相違点を主として説明する。
【０１９２】
上述した第４実施形態では、ｅＮＢ２００は、ＭＢＭＳ興味情報に含まれる周波数情報に基づいて、ＭＢＳＦＮサブフレームの少なくとも一部をＤ２Ｄ通信に割り当てるか否かを制御していた。
【０１９３】
これに対し、本実施形態では、Ｄ２Ｄ通信のための無線リソース割当を行うｅＮＢ２００は、当該ｅＮＢ２００が収容するＵＥ１００から通知されるＭＢＭＳカウント情報（ＭＢＭＳ  ｃｏｕｎｔｉｎｇ  ｒｅｓｐｏｎｓｅ）に基づいて、ＭＢＳＦＮサブフレームの少なくとも一部をＤ２Ｄ通信に割り当てるか否かを制御する。
【０１９４】
ＭＢＭＳカウント情報は、ＲＲＣメッセージの一つであり、ＭＢＭＳデータを受信するＵＥ１００の数をカウントするために使用される。具体的には、ｅＮＢ２００は、自セル内のＵＥ１００に対してＭＢＭＳカウント要求（ＭＢＭＳ  ｃｏｕｎｔｉｎｇ  ｒｅｑｕｅｓｔ）を送信する。ＭＢＭＳカウント要求を受信したＵＥ１００は、自身のＭＢＭＳ受信状態をＭＢＭＳカウント情報に含めてｅＮＢ２００に送信する。ＭＢＭＳカウント情報は、ＵＥ１００−１が受信するＭＢＭＳデータ（ＭＢＭＳチャンネル）を示す情報を含む。
【０１９５】
図１８は、本実施形態に係る動作シーケンス図である。本実施形態では、第４実施形態とは異なり、必ずしも下りリンクが複数の周波数（マルチキャリア）で運用されていなくてもよい。
【０１９６】
図１８に示すように、ステップＳ２１において、ＵＥ１００−１は、ＭＢＭＳカウント情報（ＭＢＭＳ  ｃｏｕｎｔｉｎｇ  ｒｅｓｐｏｎｓｅ）をｅＮＢ２００に送信する。ｅＮＢ２００は、ＵＥ１００−１からのＭＢＭＳカウント情報を受信する。
【０１９７】
ステップＳ２２において、ｅＮＢ２００は、ＵＥ１００−１及びＵＥ１００−２によるＤ２Ｄ通信に割り当てるＤ２Ｄリソースを決定する。ここで、ｅＮＢ２００は、ステップＳ２２で受信したＭＢＭＳ興味情報に基づいて、ＭＢＳＦＮサブフレームの少なくとも一部をＤ２Ｄ通信に割り当てるか否かを制御する。
【０１９８】
本実施形態では、ｅＮＢ２００は、ＭＢＭＳカウント情報に含まれる、ＵＥ１００−１が受信するＭＢＭＳデータ（ＭＢＭＳチャンネル）を示す情報に基づいて、ＭＢＳＦＮサブフレームの少なくとも一部をＤ２Ｄ通信に割り当てるか否かを制御する。第１に、ｅＮＢ２００は、ＭＢＭＳカウント情報により、配信を停止するＭＢＭＳデータ（ＭＢＭＳチャンネル）を決定する。具体的には、ｅＮＢ２００は、自セルで収容する各ＵＥ１００において受信されていないＭＢＭＳデータ（ＭＢＭＳチャンネル）の配信を停止する。第２に、ｅＮＢ２００は、ＭＢＭＳデータ（ＭＢＭＳチャンネル）の配信を停止することにより、配信を停止したＭＢＭＳデータ（ＭＢＭＳチャンネル）についての無線リソースに余裕ができた場合、その一部をＤ２Ｄ通信用に開放する。
【０１９９】
図１９は、本実施形態に係るＤ２Ｄリソース割当の一例を示す図である。図１９に示すように、ｅＮＢ２００は、ＭＢＭＳカウント情報に基づいてＭＢＭＳデータ（ＭＢＭＳチャンネル）の配信を停止することにより、配信を停止したＭＢＭＳデータ（ＭＢＭＳチャンネル）についての無線リソースに余裕ができた場合、その一部をＤ２Ｄ通信用に開放する。図１９の例では、ＭＢＳＦＮサブフレームの一部をＤ２Ｄ通信用に開放することにより、ＭＢＳＦＮサブフレーム内でＭＢＭＳ配信とＤ２Ｄ通信とが共存する。
【０２００】
図１８に戻り、ステップＳ２３において、ｅＮＢ２００は、ステップＳ２２で決定したＤ２Ｄリソースを示すＤ２Ｄリソース情報をＵＥ１００−１に送信する。ＵＥ１００−１は、Ｄ２Ｄリソース情報を受信すると、Ｄ２Ｄリソース情報が示すＤ２Ｄリソースを使用してＤ２Ｄ通信を行う。
【０２０１】
従って、本実施形態によれば、配信が停止されたＭＢＭＳデータ（ＭＢＭＳチャンネル）についての無線リソースをＤ２Ｄ通信に使用することにより、無線リソースを有効活用できる。
【０２０２】
［第６実施形態］
以下、第６実施形態について、第４実施形態及び第５実施形態との相違点を主として説明する。
【０２０３】
上述した第４実施形態及び第５実施形態では、特定の機能はＭＢＭＳ機能であり、特定のサブフレームはＭＢＳＦＮサブフレームであった。
【０２０４】
これに対し、第６実施形態では、特定の機能はＩＣＩＣ機能であり、特定のサブフレームはＡＢＳである。
【０２０５】
ＩＣＩＣ機能は、複数のセル（複数のｅＮＢ）が連携して、セル間の干渉を回避するための機能である。特に、マクロｅＮＢ（ＭｅＮＢ）のセル内に、ピコｅＮＢ（ＰｅＮＢ）などの小型ｅＮＢが設置される通信環境下においてＩＣＩＣ機能は重要である。
【０２０６】
図２０は、本実施形態に係る通信環境を説明するための図である。
【０２０７】
図２０に示すように、ＭｅＮＢ２００−１のセル内には、ＰｅＮＢ２００−２が設置されている。また、ＵＥ１００−１乃至ＵＥ１００−４は、ＭｅＮＢ２００−１に収容されている。ＵＥ１００−５は、ＰｅＮＢ２００−２に収容されている。
【０２０８】
ＵＥ１００−１及びＵＥ１００−２は、ＭｅＮＢ２００−１から割り当てられるＤ２Ｄリソースを使用してＤ２Ｄ通信を行っている。ＵＥ１００−３及びＵＥ１００−４は、ＭｅＮＢ２００−１から割り当てられる無線リソースを使用してＭｅＮＢ２００−１とのセルラ通信を行っている。ＵＥ１００−５は、ＰｅＮＢ２００−２から割り当てられる無線リソースを使用してＰｅＮＢ２００−２とのセルラ通信を行っている。
【０２０９】
このような通信環境では、ＰｅＮＢ２００−２の下りリンクは、ＭｅＮＢ２００−１の下りリンクから大きな干渉を受ける。従って、ＭｅＮＢ２００−１は、下りリンクの一部のサブフレームをＡＢＳに設定する。ＡＢＳとは、セル間の干渉回避のために略ブランク（Ａｌｍｏｓｔ  Ｂｌａｎｋ）にされるサブフレームである。
【０２１０】
図２１は、ＡＢＳを説明するための図である。図２１に示すように、ＭｅＮＢ２００−１は、下りリンクの無線フレームにおいて、例えばサブフレーム番号＃１及び＃６のサブフレームをＡＢＳとして設定する。
【０２１１】
ＭｅＮＢ２００−１は、設定したＡＢＳをＰｅＮＢ２００−２に通知する。ＭｅＮＢ２００−１のＡＢＳに対応するサブフレームにおいて、ＰｅＮＢ２００−２の下りリンクは、ＭｅＮＢ２００−１の下りリンクからの干渉を回避できるため、下りリンクの通信を良好に行うことができる。しかしながら、ＭｅＮＢ２００−１の観点では、ＡＢＳは下りリンクの通信に使用不能な無駄な無線リソースとなる。
【０２１２】
そこで、本実施形態では、Ｄ２Ｄ通信のための無線リソース割当を行うＭｅＮＢ２００−１は、ＡＢＳを設定した場合に、ＡＢＳの少なくとも一部をＤ２Ｄ通信に割り当てる。
【０２１３】
図２２は、本実施形態に係るＭｅＮＢ２００−１の動作を説明するための図である。
【０２１４】
図２２に示すように、ＭｅＮＢ２００−１は、ＡＢＳを設定した場合に、Ｄ２Ｄリソースとして、ＡＢＳに含まれるリソースブロックを割り当てる。
【０２１５】
ＵＥ１００−１及びＵＥ１００−２は、ＭｅＮＢ２００−１から割り当てられるＤ２Ｄリソースを使用してＤ２Ｄ通信を行う。なお、Ｄ２Ｄ通信における送信電力は低い値であるため、ＰｅＮＢ２００−２の下りリンクがＤ２Ｄ通信から受ける干渉の影響は小さい。
【０２１６】
一方、ＡＢＳ以外のサブフレームについては、ＭｅＮＢ２００−１は、通常通り、ＵＥ１００−３及びＵＥ１００−４に対して無線リソースを割り当てる。
【０２１７】
このように、ＡＢＳをＤ２Ｄ通信に使用することにより、Ｄ２Ｄ通信及びセルラ通信の両立を図りつつ、無線リソースを有効活用できる。
【０２１８】
［変更例］
例えば、上述した第４実施形態及び第５実施形態は、別個独立に実施する場合に限らず、相互に組み合わせて実施してもよい。
【０２１９】
［その他の実施形態］
（第１実施形態の変更例）
上述した第１実施形態では、セルラ通信において所定の上りリンク信号の送信に使用される特定無線リソースは、全てのＵＥ１００に対してＤ２Ｄ通信における使用が規制されていた。しかしながら、必ずしも全てのＵＥ１００に対してＤ２Ｄ通信における使用を規制するのではなく、所定の条件を満たす一部のＵＥ１００に対してのみＤ２Ｄ通信における使用を規制してもよい。
【０２２０】
例えば、ｅＮＢ２００との間のパスロスが小さいＵＥ１００のＤ２Ｄ通信からセルラの上りリンク通信に対して与える干渉の影響は大きいものの、ｅＮＢ２００との間のパスロスが大きいＵＥ１００のＤ２Ｄ通信からセルラの上りリンク通信に対して与える干渉の影響は小さい。ｅＮＢ２００との間のパスロスが小さいＵＥ１００が送信するＤ２Ｄ通信信号はｅＮＢ２００において高い電力で受信されるからである。よって、ｅＮＢ２００との間のパスロスが閾値以上であるＵＥ１００については、特定無線リソースをＤ２Ｄ通信に使用することを許容できる。これに対し、ｅＮＢ２００との間のパスロスが閾値よりも小さいＵＥ１００については、特定無線リソースをＤ２Ｄ通信に使用することを禁止する。
【０２２１】
禁止されるＵＥ１００は、自身が条件を判定して特定無線リソースの使用を自粛してもよいし、ｅＮＢ２００から特定無線リソースの使用を禁止するよう指示されてもよい。
【０２２２】
パスロスの推定方法として、ＵＥ１００が推定する場合には、ｅＮＢ２００から送信される参照信号の受信電力から推定してもよい。また、ｅＮＢ２００が推定する場合には、ＵＥ１００が送信するセルラ用参照信号の受信電力から推定してもよいし、ＵＥ１００が送信するＤ２Ｄ用参照信号(Ｄｉｓｃｏｖｅｒｙ信号や同期信号等を含む)の受信電力から推定してもよい。
【０２２３】
（第２実施形態及び第３実施形態の変更例）
上述した第２実施形態及び第３実施形態では、セルラ通信において所定の下りリンク信号の送信に使用される特定無線リソースは、全てのＵＥ１００に対してＤ２Ｄ通信における使用が規制されていた。しかしながら、必ずしも全てのＵＥ１００に対してＤ２Ｄ通信における使用を規制するのではなく、所定の条件を満たす一部のＵＥ１００に対してのみＤ２Ｄ通信における使用を規制してもよい。
【０２２４】
例えば、ｅＮＢ２００との間のパスロスが大きいＵＥ１００のＤ２Ｄ通信からセルラの下りリンク通信に対して与える干渉の影響は大きいものの、ｅＮＢ２００との間のパスロスが小さいＵＥ１００のＤ２Ｄ通信からセルラの下りリンク通信に対して与える干渉の影響は小さい。ｅＮＢ２００との間のパスロスが大きい位置（例えばセルエッジ）は下りリンクのセルラ通信品質が劣化し易いからである。よって、ｅＮＢ２００との間のパスロスが閾値以下であるＵＥ１００については、特定無線リソースをＤ２Ｄ通信に使用することを許容できる。これに対し、ｅＮＢ２００との間のパスロスが閾値よりも大きいＵＥ１００については、特定無線リソースをＤ２Ｄ通信に使用することを禁止する。
【０２２５】
禁止されるＵＥ１００は、自身が条件を判定して特定無線リソースの使用を自粛してもよいし、ｅＮＢ２００から特定無線リソースの使用を禁止するよう指示されてもよい。
【０２２６】
パスロスの推定方法として、ＵＥ１００が推定する場合には、ｅＮＢ２００から送信される参照信号の受信電力から推定してもよい。また、ｅＮＢ２００が推定する場合には、ＵＥ１００が送信するセルラ用参照信号の受信電力から推定してもよいし、ＵＥ１００が送信するＤ２Ｄ用参照信号(Ｄｉｓｃｏｖｅｒｙ信号や同期信号等を含む)の受信電力から推定してもよい。
【０２２７】
（第４実施形態乃至第６実施形態の変更例）
上述した第４実施形態乃至第６実施形態では、セルラ通信における特定の機能を実現するための特定のサブフレームにおいて、全てのＵＥ１００に対してＤ２Ｄ通信における使用が許容されていた。しかしながら、必ずしも全てのＵＥ１００に対してＤ２Ｄ通信における使用を許容するのではなく、所定の条件を満たす一部のＵＥ１００に対してＤ２Ｄ通信における使用を規制してもよい。
【０２２８】
例えば、ＭＢＳＦＮサブフレームをＤ２Ｄ通信に使用する場合において、ｅＮＢ２００との間のパスロスが大きいＵＥ１００のＤ２Ｄ通信からセルラの下りリンク通信（ＭＢＭＳ受信）に対して与える干渉の影響は大きいものの、ｅＮＢ２００との間のパスロスが小さいＵＥ１００のＤ２Ｄ通信からセルラの下りリンク通信（ＭＢＭＳ受信）に対して与える干渉の影響は小さい。ｅＮＢ２００との間のパスロスが大きい位置（例えばセルエッジ）は下りリンクのセルラ通信品質が劣化し易いからである。よって、ｅＮＢ２００との間のパスロスが閾値以下であるＵＥ１００については、ＭＢＳＦＮサブフレームをＤ２Ｄ通信に使用することを許容できる。これに対し、ｅＮＢ２００との間のパスロスが閾値よりも大きいＵＥ１００については、ＭＢＳＦＮサブフレームをＤ２Ｄ通信に使用することを禁止する。
【０２２９】
禁止されるＵＥ１００は、自身が条件を判定してＭＢＳＦＮサブフレームの使用を自粛してもよいし、ｅＮＢ２００からＭＢＳＦＮサブフレームの使用を禁止するよう指示されてもよい。
【０２３０】
パスロスの推定方法として、ＵＥ１００が推定する場合には、ｅＮＢ２００から送信される参照信号の受信電力から推定してもよい。また、ｅＮＢ２００が推定する場合には、ＵＥ１００が送信するセルラ用参照信号の受信電力から推定してもよいし、ＵＥ１００が送信するＤ２Ｄ用参照信号(Ｄｉｓｃｏｖｅｒｙ信号や同期信号等を含む)の受信電力から推定してもよい。
【０２３１】
［相互参照］
米国仮出願第６１／７０５８７１号（２０１２年９月２６日出願）の全内容、米国仮出願第６１／７０５８９５号（２０１２年９月２６日出願）の全内容、米国仮出願第６１／７０６３４９号（２０１２年９月２７日出願）の全内容が、参照により、本願明細書に組み込まれている。
【産業上の利用可能性】
【０２３２】
本発明は、移動通信分野において有用である。
【図１】
2014050556.tif 000003
【図２】
2014050556.tif 000004
【図３】
2014050556.tif 000005
【図４】
2014050556.tif 000006
【図５】
2014050556.tif 000007
【図６】
2014050556.tif 000008
【図７】
2014050556.tif 000009
【図８】
2014050556.tif 000010
【図９】
2014050556.tif 000011
【図１０】
2014050556.tif 000012
【図１１】
2014050556.tif 000013
【図１２】
2014050556.tif 000014
【図１３】
2014050556.tif 000015
【図１４】
2014050556.tif 000016
【図１５】
2014050556.tif 000017
【図１６】
2014050556.tif 000018
【図１７】
2014050556.tif 000019
【図１８】
2014050556.tif 000020
【図１９】
2014050556.tif 000021
【図２０】
2014050556.tif 000022
【図２１】
2014050556.tif 000023
【図２２】
2014050556.tif 000024
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムであって、
前記Ｄ２Ｄ近傍サービスは、前記セルラ通信の上りリンク無線リソースの一部を使用して行われ、
前記上りリンク無線リソースは、前記セルラ通信において所定の上りリンク信号の送信に使用される特定無線リソースを含み、
前記Ｄ２Ｄ近傍サービスにおいて前記特定無線リソースを使用してＤ２Ｄ信号を送信する場合に、前記特定無線リソースに対応する前記Ｄ２Ｄ信号の送信電力は、所定値よりも低い値に設定されることを特徴とする移動通信システム。
【請求項２】
前記Ｄ２Ｄ近傍サービスにおいて前記特定無線リソースを使用してＤ２Ｄ信号を送信する場合で、かつ、前記Ｄ２Ｄ近傍サービスのための送信電力制御であるＤ２Ｄ電力制御を基地局主導で行う場合に、前記Ｄ２Ｄ電力制御を行う基地局は、前記特定無線リソースに対応する前記Ｄ２Ｄ信号の送信電力を前記所定値よりも低い値に設定することを特徴とする請求項１に記載の移動通信システム。
【請求項３】
前記Ｄ２Ｄ近傍サービスにおいて前記特定無線リソースを使用してＤ２Ｄ信号を送信する場合で、かつ、前記Ｄ２Ｄ近傍サービスのための送信電力制御であるＤ２Ｄ電力制御をユーザ端末主導で行う場合に、前記Ｄ２Ｄ電力制御を行うユーザ端末は、前記特定無線リソースに対応する前記Ｄ２Ｄ信号の送信電力を前記所定値よりも低い値に設定することを特徴とする請求項１に記載の移動通信システム。
【請求項４】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムであって、
前記Ｄ２Ｄ近傍サービスは、前記セルラ通信の上りリンク無線リソースの一部を使用して行われ、
前記上りリンク無線リソースは、前記セルラ通信において所定の上りリンク信号の送信に使用される特定無線リソースを含み、
前記特定無線リソースは、所定の条件を満たすユーザ端末に対してのみ、前記Ｄ２Ｄ近傍サービスにおける使用が規制されており、
前記所定の条件とは、前記ネットワークに含まれる基地局との間のパスロスが閾値よりも小さいという条件であることを特徴とする移動通信システム。
【請求項５】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムであって、
前記Ｄ２Ｄ近傍サービスは、前記セルラ通信の下りリンク無線リソースの一部を使用して行われ、
前記下りリンク無線リソースは、前記セルラ通信において所定の下りリンク信号の送信に使用される特定無線リソースを含み、
前記特定無線リソースは、前記Ｄ２Ｄ近傍サービスにおける使用が規制されており、
前記所定の下りリンク信号は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）信号であり、
前記特定無線リソースは、ＭＢＳＦＮ（ＭＢＭＳ  Ｓｉｎｇｌｅ  Ｆｒｅｑｕｅｎｃｙ  Ｎｅｔｗｏｒｋ）サブフレームであることを特徴とする移動通信システム。
【請求項６】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムであって、
前記Ｄ２Ｄ近傍サービスは、前記セルラ通信の下りリンク無線リソースの一部を使用して行われ、
前記下りリンク無線リソースは、前記セルラ通信において所定の下りリンク信号の送信に使用される特定無線リソースを含み、
前記Ｄ２Ｄ近傍サービスにおいて前記特定無線リソースを使用してＤ２Ｄ信号を送信する場合に、前記特定無線リソースに対応する前記Ｄ２Ｄ信号の送信電力は、所定値よりも低い値に設定されることを特徴とする移動通信システム。
【請求項７】
前記Ｄ２Ｄ近傍サービスにおいて前記特定無線リソースを使用してＤ２Ｄ信号を送信する場合で、かつ、前記Ｄ２Ｄ近傍サービスのための送信電力制御であるＤ２Ｄ電力制御を基地局主導で行う場合に、前記Ｄ２Ｄ電力制御を行う基地局は、前記特定無線リソースに対応する前記Ｄ２Ｄ信号の送信電力を前記所定値よりも低い値に設定することを特徴とする請求項６に記載の移動通信システム。
【請求項８】
前記Ｄ２Ｄ近傍サービスにおいて前記特定無線リソースを使用してＤ２Ｄ信号を送信する場合で、かつ、前記Ｄ２Ｄ近傍サービスのための送信電力制御であるＤ２Ｄ電力制御をユーザ端末主導で行う場合に、前記Ｄ２Ｄ電力制御を行うユーザ端末は、前記特定無線リソースに対応する前記Ｄ２Ｄ信号の送信電力を前記所定値よりも低い値に設定することを特徴とする請求項６に記載の移動通信システム。
【請求項９】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムであって、
前記Ｄ２Ｄ近傍サービスは、前記セルラ通信の下りリンク無線リソースの一部を使用して行われ、
前記下りリンク無線リソースは、前記セルラ通信において所定の下りリンク信号の送信に使用される特定無線リソースを含み、
前記特定無線リソースは、所定の条件を満たすユーザ端末に対してのみ、前記Ｄ２Ｄ近傍サービスにおける使用が規制されており、
前記所定の条件とは、前記ネットワークに含まれる基地局との間のパスロスが閾値よりも大きいという条件であることを特徴とする移動通信システム。
【請求項１０】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムであって、
前記セルラ通信の下りリンク無線リソースは、前記セルラ通信における特定の機能を実現するための特定のサブフレームを含み、
前記Ｄ２Ｄ近傍サービスは、前記特定のサブフレームの少なくとも一部を使用して行われ、
前記特定の機能は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）機能であり、
前記特定のサブフレームは、ＭＢＳＦＮ（ＭＢＭＳ  Ｓｉｎｇｌｅ  Ｆｒｅｑｕｅｎｃｙ  Ｎｅｔｗｏｒｋ）サブフレームであることを特徴とする移動通信システム。
【請求項１１】
前記Ｄ２Ｄ近傍サービスのための無線リソース割当を行う基地局は、当該基地局が収容するユーザ端末から通知されるＭＢＭＳ興味情報に基づいて、前記ＭＢＳＦＮサブフレームの少なくとも一部を前記Ｄ２Ｄ近傍サービスに割り当てるか否かを制御することを特徴とする請求項１０に記載の移動通信システム。
【請求項１２】
前記ＭＢＭＳ興味情報は、前記ユーザ端末が受信を希望するＭＢＭＳデータが配信される周波数を示す周波数情報を含み、
前記基地局は、前記ＭＢＭＳ興味情報に含まれる前記周波数情報に基づいて、前記ＭＢＳＦＮサブフレームの少なくとも一部を前記Ｄ２Ｄ近傍サービスに割り当てるか否かを制御することを特徴とする請求項１１に記載の移動通信システム。
【請求項１３】
前記Ｄ２Ｄ近傍サービスのための無線リソース割当を行う基地局は、当該基地局が収容するユーザ端末から通知されるＭＢＭＳカウント情報に基づいて、前記ＭＢＳＦＮサブフレームの少なくとも一部を前記Ｄ２Ｄ近傍サービスに割り当てるか否かを制御することを特徴とする請求項１０に記載の移動通信システム。
【請求項１４】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムであって、
前記セルラ通信の下りリンク無線リソースは、前記セルラ通信における特定の機能を実現するための特定のサブフレームを含み、
前記Ｄ２Ｄ近傍サービスは、前記特定のサブフレームの少なくとも一部を使用して行われ、
前記特定の機能は、ＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ)機能であり、
前記特定のサブフレームは、ＡＢＳ（Ａｌｍｏｓｔ  Ｂｌａｎｋ  Ｓｕｂｆｒａｍｅ）であることを特徴とする移動通信システム。
【請求項１５】
前記Ｄ２Ｄ近傍サービスのための無線リソース割当を行う基地局は、前記ＡＢＳを設定した場合に、前記ＡＢＳの少なくとも一部を前記Ｄ２Ｄ近傍サービスに割り当てることを特徴とする請求項１４に記載の移動通信システム。
【請求項１６】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムであって、
前記セルラ通信の下りリンク無線リソースは、前記セルラ通信における特定の機能を実現するための特定のサブフレームを含み、
前記特定のサブフレームは、所定の条件を満たすユーザ端末に対してのみ、前記Ｄ２Ｄ近傍サービスにおける使用が許容されており、
前記所定の条件とは、前記ネットワークに含まれる基地局との間のパスロスが閾値よりも小さいという条件であることを特徴とする移動通信システム。
【請求項１７】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムにおけるユーザ端末であって、
前記セルラ通信の上りリンク無線リソースの一部を使用して、前記Ｄ２Ｄ近傍サービスを行う制御部を備え、
前記上りリンク無線リソースは、前記セルラ通信において所定の上りリンク信号の送信に使用される特定無線リソースを含み、
前記制御部は、前記Ｄ２Ｄ近傍サービスにおいて前記特定無線リソースを使用してＤ２Ｄ信号を送信する場合に、前記特定無線リソースに対応する前記Ｄ２Ｄ信号の送信電力を、所定値よりも低い値に設定することを特徴とするユーザ端末。
【請求項１８】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムにおけるユーザ端末であって、
前記セルラ通信の上りリンク無線リソースの一部を使用して、前記Ｄ２Ｄ近傍サービスを行う制御部を備え、
前記上りリンク無線リソースは、前記セルラ通信において所定の上りリンク信号の送信に使用される特定無線リソースを含み、
前記制御部は、所定の条件を満たす場合にのみ、前記Ｄ２Ｄ近傍サービスにおいて前記特定無線リソースの使用を規制し、
前記所定の条件とは、前記ネットワークに含まれる基地局との間のパスロスが閾値よりも小さいという条件であることを特徴とするユーザ端末。
【請求項１９】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムにおけるユーザ端末であって、
前記セルラ通信の下りリンク無線リソースの一部を使用して、前記Ｄ２Ｄ近傍サービスを行う制御部を備え、
前記下りリンク無線リソースは、前記セルラ通信において所定の下りリンク信号の送信に使用される特定無線リソースを含み、
前記制御部は、前記Ｄ２Ｄ近傍サービスにおいて前記特定無線リソースの使用を規制し、
前記所定の下りリンク信号は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）信号であり、
前記特定無線リソースは、ＭＢＳＦＮ（ＭＢＭＳ  Ｓｉｎｇｌｅ  Ｆｒｅｑｕｅｎｃｙ  Ｎｅｔｗｏｒｋ）サブフレームであることを特徴とするユーザ端末。
【請求項２０】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムにおけるユーザ端末であって、
前記セルラ通信の下りリンク無線リソースの一部を使用して、前記Ｄ２Ｄ近傍サービスを行う制御部を備え、
前記下りリンク無線リソースは、前記セルラ通信において所定の下りリンク信号の送信に使用される特定無線リソースを含み、
前記制御部は、前記Ｄ２Ｄ近傍サービスにおいて前記特定無線リソースを使用してＤ２Ｄ信号を送信する場合に、前記特定無線リソースに対応する前記Ｄ２Ｄ信号の送信電力を、所定値よりも低い値に設定することを特徴とするユーザ端末。
【請求項２１】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムにおけるユーザ端末であって、
前記セルラ通信の下りリンク無線リソースの一部を使用して、前記Ｄ２Ｄ近傍サービスを行う制御部を備え、
前記下りリンク無線リソースは、前記セルラ通信において所定の下りリンク信号の送信に使用される特定無線リソースを含み、
前記制御部は、所定の条件を満たす場合にのみ、前記Ｄ２Ｄ近傍サービスにおいて前記特定無線リソースの使用を規制し、
前記所定の条件とは、前記ネットワークに含まれる基地局との間のパスロスが閾値よりも大きいという条件であることを特徴とするユーザ端末。
【請求項２２】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムにおけるユーザ端末であって、
前記セルラ通信の下りリンク無線リソースは、前記セルラ通信における特定の機能を実現するための特定のサブフレームを含み、
前記特定のサブフレームの少なくとも一部を使用して、前記Ｄ２Ｄ近傍サービスを行う制御部を備え、
前記特定の機能は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）機能であり、
前記特定のサブフレームは、ＭＢＳＦＮ（ＭＢＭＳ  Ｓｉｎｇｌｅ  Ｆｒｅｑｕｅｎｃｙ  Ｎｅｔｗｏｒｋ）サブフレームであることを特徴とするユーザ端末。
【請求項２３】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムにおけるユーザ端末であって、
前記セルラ通信の下りリンク無線リソースは、前記セルラ通信における特定の機能を実現するための特定のサブフレームを含み、
前記特定のサブフレームの少なくとも一部を使用して、前記Ｄ２Ｄ近傍サービスを行う制御部を備え、
前記特定の機能は、ＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ)機能であり、
前記特定のサブフレームは、ＡＢＳ（Ａｌｍｏｓｔ  Ｂｌａｎｋ  Ｓｕｂｆｒａｍｅ）であることを特徴とするユーザ端末。
【請求項２４】
ネットワーク及びユーザ端末間でデータ通信を行うセルラ通信と、２以上のユーザ端末間で直接的にＤ２Ｄ信号を送受信するＤ２Ｄ近傍サービスと、をサポートする移動通信システムにおけるユーザ端末であって、
前記セルラ通信の下りリンク無線リソースは、前記セルラ通信における特定の機能を実現するための特定のサブフレームを含み、
所定の条件を満たす場合にのみ、前記特定のサブフレームを使用して前記Ｄ２Ｄ近傍サービスを行う制御部を備え、
前記所定の条件とは、前記ネットワークに含まれる基地局との間のパスロスが閾値よりも小さいという条件であることを特徴とするユーザ端末。
【国際調査報告】
2014050556.tif 000025
2014050556.tif 000026
2014050556.tif 000027
2014050556.tif 000028